(57)【要約】【課題】  上りリンクパケットデータサービスを支援する移動通信システムにおいて、この上りリンクパケットデータサービスのために、使用者端末が伝送しようとするパケットデータを格納しているバッファーのバッファー状態と上りリンクの送信電力を表すチャネル状態とを送受信する方法を提供する。【解決手段】  使用者端末は、バッファーに待機しているパケットデータの量が、予め定められるしきい値以上になると、バッファー状態とチャネル状態を最初に伝送し、このバッファーに新規のパケットデータが発生するか、或いは、予め定められるバッファー状態伝送周期にしたがって前記バッファー状態を伝送する。使用者端末は、チャネル状態を、別途のチャネル状態伝送周期にしたがって伝送するか、或いは、前記バッファー状態と共に伝送する。【選択図】  図８
2005094750.tif 000002
【特許請求の範囲】
【請求項１】
上りリンクパケットデータサービスを支援する移動通信システムで、前記上りリンクパケットデータサービスのスケジューリングのために使用者端末が伝送しようとするパケットデータを格納しているバッファーのバッファー状態情報と上りリンクの送信電力を表すチャネル状態情報を伝送する方法であって、
(１)前記バッファーに格納されているパケットデータの量をモニタリングするステップと、
(２)前記バッファーに格納されているパケットデータの量が、予め定められるしきい値以上であれば、前記バッファー状態情報と前記チャネル状態情報の伝送を始めるステップと、
(３)前記バッファー状態情報と前記チャネル状態情報の伝送を始めた後に、前記バッファーに新規のパケットデータが発生すれば、前記バッファー状態情報を伝送するステップと、
を含めてなることを特徴とする方法。
【請求項２】
前記バッファー状態情報は、サイクリック・リダンダンシ・コード(ＣＲＣ)が付加されて伝送されることを特徴とする請求項１に記載の方法。
【請求項３】
前記バッファー状態情報と前記チャネル状態情報の伝送を始めた後に、予め定められるチャネル状態伝送周期にしたがって前記チャネル状態情報を周期的に伝送するステップをさらに含むことを特徴とする請求項１に記載の方法。
【請求項４】
前記バッファーに新規のパケットデータが発生すれば、前記チャネル状態情報を前記バッファー状態情報と一緒に伝送するステップをさらに含むことを特徴とする請求項１に記載の方法。
【請求項５】
前記ステップ(２)は、前記バッファー状態情報と前記チャネル状態情報を所定のスケジューリング区間の第１及び第２の領域でそれぞれ伝送するステップを含み、前記ステップ(３)は、前記バッファー状態情報を前記スケジューリング区間の第１の領域で伝送するステップを含むことを特徴とする請求項１に記載の方法。
【請求項６】
前記バッファー状態情報と前記チャネル状態情報の伝送を始めた後に、予め定められるバッファー状態伝送周期にしたがって前記バッファー状態情報を伝送するステップをさらに含むことを特徴とする請求項１に記載の方法。
【請求項７】
前記バッファー状態情報を伝送した後に、予め定められるバッファー状態再伝送周期以内に、前記上りリンクパケットデータサービスのスケジューリング割当情報が受信されなければ、前記バッファー状態情報を伝送するステップをさらに含むことを特徴とする請求項６に記載の方法。
【請求項８】
前記バッファー状態情報と前記チャネル状態情報を最初に伝送した後に、前記バッファー状態再伝送周期以内に、前記上りリンクパケットデータサービスのスケジューリング割当情報が受信されなければ、前記バッファー状態情報と前記チャネル状態情報を伝送するステップをさらに含むことを特徴とする請求項７に記載の方法。
【請求項９】
前記バッファー状態情報と前記チャネル状態情報の伝送を始めた後に、前記パケットデータの量が前記しきい値よりも小さくなると、前記バッファー状態情報と前記チャネル状態情報の伝送を中断するステップをさらに含むことを特徴とする請求項１に記載の方法。
【請求項１０】
前記バッファー状態情報と前記チャネル状態情報の伝送を始めた後に、基地局から前記バッファー状態情報と前記チャネル状態情報伝送の中断を要請するメッセージが受信されると、前記バッファー状態情報と前記チャネル状態情報の伝送を中断するステップをさらに含むことを特徴とする請求項１に記載の方法。
【請求項１１】
上りリンクパケットデータサービスを支援する移動通信システムにおいて、この上りリンクパケットデータサービスのスケジューリングのために、基地局が使用者端末からバッファー状態情報とチャネル状態情報を受信する方法であって、
(１)前記使用者端末から、前記バッファー状態情報を含むと推定される受信データと、この受信データの伝送エラー検出のためのサイクリック・リダンダンシ・コード(ＣＲＣ)とを受信するステップと、
(２)前記ＣＲＣを用いてＣＲＣ検査を遂行することによって、前記受信データにエラーが存在するか否か判断するステップと、
(３)前記受信データにエラーがなければ、この受信データから前記バッファー状態情報を最初に検出するステップと、
(４)前記チャネル状態情報を最初に受信するステップと、
を含むことを特徴とする方法。
【請求項１２】
前記ステップ(１)は、前記バッファー状態情報を所定のスケジューリング区間の第１の領域で受信するステップを含み、前記ステップ(４)は、前記チャネル状態情報を前記スケジューリング区間の第２の領域で受信するステップを含むことを特徴とする請求項１１に記載の方法。
【請求項１３】
前記バッファー状態情報を最初に検出した後から、予め定められるチャネル状態受信周期の整数倍だけ離れたスケジューリング区間それぞれの第２の領域で、前記チャネル状態情報を周期的に受信するステップをさらに含むことを特徴とする請求項１２に記載の方法。
【請求項１４】
前記バッファー状態情報を含むスケジューリング区間それぞれの第２の領域で、前記チャネル状態情報を受信するステップをさらに含むことを特徴とする請求項１２に記載の方法。
【請求項１５】
前記バッファー状態情報を受信した後に、予め定められるバッファー状態再伝送周期以内に、前記上りリンクパケットデータサービスのスケジューリング割当情報を伝送するステップをさらに含むことを特徴とする請求項１１に記載の方法。
【請求項１６】
前記検出したバッファー状態情報と前記使用者端末からの受信データ量を用いて、前記使用者端末のバッファー状態を推定するステップと、
前記バッファー状態推定値が予め定められるしきい値未満であれば、前記バッファー状態情報の受信を中断するステップをさらに含むことを特徴とする請求項１１に記載の方法。
【請求項１７】
前記バッファー状態情報の受信を中断し、前記使用者端末に前記バッファー状態情報と前記チャネル状態情報伝送の中断を要請するメッセージを伝送するステップをさらに含むことを特徴とする請求項１６に記載の方法。
【請求項１８】
上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンク送信電力を表すチャネル状態情報とを伝送する前記使用者端末の送信装置であって、
前記バッファーに格納されているパケットデータの量をモニタリングし、該バッファーに格納されているパケットデータの量を、予め定められるしきい値と比較し、前記バッファー状態情報と前記チャネル状態情報の伝送開始時点と伝送終了時点を決定する伝送開始及び終了決定器と、
前記伝送開始時点から前記バッファーに新規のパケットデータが到達するかを判断し、前記バッファーに新規のパケットデータが到達する時点を、バッファー状態伝送時点と決定する伝送時点決定器と、
前記バッファー状態伝送時点で、前記バッファー状態情報を伝送するバッファー状態送信器と、
前記伝送開始時点から前記チャネル状態情報を伝送するチャネル状態送信器と、を含めてなり、
前記伝送開始時点は、前記パケットデータの量が前記しきい値に到達する時点である
ことを特徴とする送信装置。
【請求項１９】
前記バッファー状態送信器は、
前記バッファー状態伝送時点で前記バッファー状態情報を通過させるスイッチと、
前記バッファー状態情報に、前記バッファー状態情報の伝送エラー検出のためのサイクリック・リダンダンシ・コード(ＣＲＣ)を付加するＣＲＣ付加部と、
前記ＣＲＣの付加された前記バッファー状態情報を、チャネル符号化して伝送するチャネル符号化部と、
から構成されることを特徴とする請求項１８に記載の送信装置。
【請求項２０】
前記伝送時点決定器は、
前記伝送開始時点から予め定められるチャネル状態伝送周期によるチャネル状態伝送時点を決定することを特徴とする請求項１８に記載の送信装置。
【請求項２１】
前記チャネル状態送信器は、
前記決定されたチャネル状態伝送時点で、前記チャネル状態情報を周期的に伝送することを特徴とする請求項２０に記載の送信装置。
【請求項２２】
前記チャネル状態送信器は、
前記決定されたチャネル状態伝送時点で、前記チャネル状態情報を通過させるスイッチと、
前記チャネル状態情報をチャネル符号化して伝送するチャネル符号化部と、
から構成されることを特徴とする請求項２１に記載の送信装置。
【請求項２３】
前記チャネル状態送信器は、
前記バッファー状態伝送時点で、前記チャネル状態情報を伝送することを特徴とする請求項１８に記載の送信装置。
【請求項２４】
前記チャネル状態送信器は、
前記バッファー状態伝送時点で、前記チャネル状態情報を通過させるスイッチと、
前記チャネル状態情報をチャネル符号化して伝送するチャネル符号化部と、
から構成されることを特徴とする請求項２３に記載の送信装置。
【請求項２５】
前記バッファー状態送信器と前記チャネル状態送信器は、
前記バッファー状態情報と前記チャネル状態情報を、所定のスケジューリング区間の第１及び第２の領域でそれぞれ伝送することを特徴とする請求項１８に記載の送信装置。
【請求項２６】
前記伝送時点決定器は、
前記新規のパケットデータが到達するバッファー状態伝送時点の外に、前記伝送開始時点から予め定められるバッファー状態情報伝送周期にしたがって前記バッファー状態情報を周期的に伝送するように前記バッファー状態送信器を制御することを特徴とする請求項１８に記載の送信装置。
【請求項２７】
前記伝送時点決定器は、
前記バッファー状態情報を伝送してから予め定められるバッファー状態再伝送周期以内に、前記上りリンクパケットデータサービスのスケジューリング割当情報が受信されないと、前記バッファー状態情報を伝送するように前記バッファー状態送信器を制御することを特徴とする請求項１８に記載の送信装置。
【請求項２８】
前記伝送時点決定器は、
前記バッファー状態情報と前記チャネル状態情報を最初に伝送してから前記バッファー状態再伝送周期以内に、前記上りリンクパケットデータサービスのスケジューリング割当情報が受信されないと、前記バッファー状態情報と前記チャネル状態情報を伝送するように前記バッファー状態送信器と前記チャネル状態送信器を制御することを特徴とする請求項２７に記載の送信装置。
【請求項２９】
前記伝送開始及び終了決定器は、
前記伝送開始時点の後に、前記パケットデータの量が前記しきい値よりも小さくなる時点を、前記伝送終了時点と決定することを特徴とする請求項１８に記載の送信装置。
【請求項３０】
前記伝送開始及び終了決定器は、
前記伝送開始時点の後に、前記バッファー状態情報と前記チャネル状態情報伝送の中断を要請するメッセージが受信される時点を、前記伝送終了時点と決定することを特徴とする請求項１８に記載の送信装置。
【請求項３１】
上りリンクパケットデータサービスを支援する移動通信システムにおいて、前記上りリンクパケットデータサービスのスケジューリングを遂行するために、使用者端末からバッファー状態情報とチャネル状態情報を受信する基地局の受信装置であって、
前記バッファー状態情報と前記チャネル状態情報の受信開始時点からチャネル状態受信時点を決定する受信時点制御器と、
前記使用者端末から前記バッファー状態情報が受信されたか否かを判断して前記バッファー状態情報を受信し、前記バッファー状態情報を最初に受信した時点を、前記受信開始時点と決定するバッファー状態受信器と、
前記決定されたチャネル状態受信時点で、前記チャネル状態情報を受信するチャネル状態受信器と、
を含めてなることを特徴とする受信装置。
【請求項３２】
前記バッファー状態受信器は、
前記使用者端末から前記バッファー状態情報を含むと推定される受信データとこの受信データの伝送エラー検出のためのサイクリック・リダンダンシ・コード(ＣＲＣ)を受信してこのＣＲＣを検査した結果、前記受信データにエラーがなければ、この受信データを出力するＣＲＣ検査器と、
前記受信データを復号して前記バッファー状態情報を検出するチャネル復号化部と、
を含むことを特徴とする請求項３１に記載の受信装置。
【請求項３３】
前記チャネル状態受信器は、
前記決定されたチャネル状態受信時点で、前記チャネル状態情報を含む受信データを通過させるスイッチと、
前記受信データを復号して前記チャネル状態情報を検出するチャネル復号化部と、
を含むことを特徴とする請求項３１に記載の受信装置。
【請求項３４】
前記バッファー状態受信器と前記チャネル状態受信器は、
前記バッファー状態情報と前記チャネル状態情報を、所定のスケジューリング区間の第１及び第２の領域でそれぞれ受信することを特徴とする請求項３１に記載の受信装置。
【請求項３５】
前記チャネル状態受信器は、
前記受信開始時点から、予め定められるチャネル状態受信周期の整数倍だけ離れたスケジューリング区間それぞれの第２の領域で、前記チャネル状態情報を周期的に受信することを特徴とする請求項３４に記載の受信装置。
【請求項３６】
前記チャネル状態受信器は、
前記バッファー状態情報を含むスケジューリング区間それぞれの第２の領域で、前記チャネル状態情報を受信することを特徴とする請求項３１に記載の受信装置。
【請求項３７】
前記バッファー状態情報と前記チャネル状態情報を受信してから予め定められるバッファー状態再伝送周期以内に、前記上りリンクパケットデータサービスのスケジューリング割当情報を伝送するスケジューラをさらに含むことを特徴とする請求項３１に記載の受信装置。
【請求項３８】
前記受信時点制御器は、
前記受信したバッファー状態情報と前記使用者端末からの受信データ量を用いて、前記使用者端末のバッファー状態を推定し、このバッファー状態情報推定値が、予め定められるしきい値未満であれば、前記バッファー状態情報と前記チャネル状態情報の受信終了時点と決定することを特徴とする請求項３１に記載の受信装置。
【請求項３９】
前記受信時点制御器は、
前記受信終了時点で前記バッファー状態情報と前記チャネル状態情報伝送の中断を要請するメッセージを伝送するように制御することを特徴とする請求項３８に記載の受信装置。
【請求項４０】
上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンクの送信電力を表すチャネル状態情報を伝送する方法であって、
(１)前記バッファーに格納されているパケットデータの量をモニタリングするステップと、
(２)前記バッファーに格納されているパケットデータの量が、予め定められるしきい値以上であれば、前記バッファー状態情報と前記チャネル状態情報の伝送を始めるステップと、
(３)前記バッファー状態情報と前記チャネル状態情報の伝送を始めた後に、前記バッファーに新規のパケットデータが発生すれば、予め定められるバッファー状態情報伝送周期にしたがって前記バッファー状態情報を伝送するステップと、
を含めてなることを特徴とする方法。
【請求項４１】
前記バッファー状態情報は、サイクリック・リダンダンシ・コード(ＣＲＣ)が付加されて伝送されることを特徴とする請求項４０に記載の方法。
【請求項４２】
前記バッファー状態情報と前記チャネル状態情報の伝送を始めた後に、前記予め定められるチャネル状態伝送周期にしたがって前記チャネル状態情報を周期的に伝送するステップをさらに含むことを特徴とする請求項４０に記載の方法。
【請求項４３】
前記ステップ(３)は、
前記バッファー状態情報と前記チャネル状態情報の伝送を始めた後に、前記バッファー状態情報伝送周期に従って定められるバッファー状態伝送時点で、前記バッファーに新規のパケットデータが発生されたか否かを確認するステップと、
前記新規のパケットデータが発生した場合には、前記バッファー状態情報を伝送するステップと、
を含むことを特徴とする請求項４０に記載の方法。
【請求項４４】
前記ステップ(３)は、
前記新規のパケットデータが発生すれば、前記チャネル状態情報を前記バッファー状態情報と共に伝送するステップをさらに含むことを特徴とする請求項４３に記載の方法。
【請求項４５】
前記ステップ(２)は、前記バッファー状態情報と前記チャネル状態情報を所定のスケジューリング区間の第１及び第２の領域でそれぞれ伝送するステップを含み、前記ステップ(３)は、前記バッファー状態情報を前記スケジューリング区間の第１の領域で伝送するステップを含むことを特徴とする請求項４０に記載の方法。
【請求項４６】
前記バッファー状態情報を伝送してから前記バッファー状態情報伝送周期以内に、前記上りリンクパケットデータサービスのスケジューリング割当情報が受信されないと、前記バッファー状態情報を伝送することを特徴とする請求項４０に記載の方法。
【請求項４７】
前記バッファー状態情報を最初に伝送してから前記バッファー状態情報伝送周期以内に、前記上りリンクパケットデータサービスのスケジューリング割当情報が受信されないと、前記バッファー状態情報と前記チャネル状態情報を共に伝送することを特徴とする請求項４６に記載の方法。
【請求項４８】
前記バッファー状態情報と前記チャネル状態情報を最初に伝送した後に、前記パケットデータの量が前記しきい値よりも小さくなると、前記バッファー状態情報と前記チャネル状態情報の伝送を中断するステップをさらに含むことを特徴とする請求項４０に記載の方法。
【請求項４９】
前記バッファー状態情報と前記チャネル状態情報を最初に伝送した後に、基地局から前記バッファー状態情報と前記チャネル状態情報伝送の中断を要請するメッセージが受信されると、前記バッファー状態情報と前記チャネル状態情報の伝送を中断するステップをさらに含むことを特徴とする請求項４０に記載の方法。
【請求項５０】
上りリンクパケットデータサービスを支援する移動通信システムにおいて、この上りリンクパケットデータサービスのスケジューリングのために、基地局が使用者端末からバッファー状態情報とチャネル状態情報を受信する方法であって、
(１)前記バッファー状態情報を含むと推定される受信データと、この受信データの伝送エラー検出のためのサイクリック・リダンダンシ・コード(ＣＲＣ)とを受信するステップと、
(２)前記受信データにエラーがなければ、この受信データから前記バッファー状態情報を最初に検出するステップと、
(３)前記バッファー状態情報を最初に検出した後に、予め定められるバッファー状態受信周期で前記バッファー状態情報を受信するステップと、
(４)前記チャネル状態情報を最初に受信するステップと、
を含むことを特徴とする方法。
【請求項５１】
前記ステップ(３)は、
前記バッファー状態情報を最初に検出してから、前記バッファー状態受信周期によって定められるバッファー状態伝送時点で、前記バッファー状態情報を含むと推定される受信データとこの受信データの伝送エラー検出のためのサイクリック・リダンダンシ・コード(ＣＲＣ)を受信するステップと、
前記受信データにエラーがなければ、この受信データから前記バッファー状態情報を検出するステップと、
を含むことを特徴とする請求項５０に記載の方法。
【請求項５２】
前記ステップ(１)及び(３)は、前記バッファー状態情報を所定のスケジューリング区間の第１の領域で受信するステップを含み、前記ステップ(４)は、前記チャネル状態情報を前記所定のスケジューリング区間の第２の領域で受信するステップを含むことを特徴とする請求項５０に記載の方法。
【請求項５３】
前記バッファー状態情報を最初に検出した後から、予め定められるチャネル状態受信周期の整数倍だけ離れたスケジューリング区間それぞれの第２の領域で、前記チャネル状態情報を周期的に受信するステップをさらに含むことを特徴とする請求項５２に記載の方法。
【請求項５４】
前記バッファー状態情報を含むスケジューリング区間それぞれの第２の領域で、前記チャネル状態情報を受信するステップをさらに含むことを特徴とする請求項５２に記載の方法。
【請求項５５】
前記バッファー状態情報を受信した後に、予め定められるバッファー状態伝送周期以内に、前記上りリンクパケットデータサービスのスケジューリング割当情報を伝送するステップをさらに含むことを特徴とする請求項５０に記載の方法
【請求項５６】
前記検出したバッファー状態情報と前記使用者端末からの受信データ量を用いて、前記使用者端末のバッファー状態を推定するステップと、
前記バッファー状態推定値が予め定められるしきい値未満であれば、前記バッファー状態情報の受信を中断するステップをさらに含むことを特徴とする請求項５０に記載の方法。
【請求項５７】
前記バッファー状態情報の受信を中断し、前記使用者端末に前記バッファー状態情報と前記チャネル状態情報伝送の中断を要請するメッセージを伝送するステップをさらに含むことを特徴とする請求項５６に記載の方法。
【請求項５８】
上りリンクパケットデータサービスを支援する移動通信システムで、前記上りリンクパケットデータサービスのスケジューリングのために、使用者端末が伝送しようとするパケットデータを格納しているバッファーのバッファー状態情報と上りリンク送信電力を表すチャネル状態情報とを伝送する使用者端末の送信装置であって、
前記バッファーに格納されているパケットデータの量をモニタリングし、前記バッファーに格納されているパケットデータの量を予め定められるしきい値と比較することによって前記バッファー状態情報と前記チャネル状態情報の伝送開始時点と伝送終了時点を決定する伝送開始及び終了決定器と、
前記伝送開始時点から前記バッファーに新規のパケットデータが到達するかを判断し、前記バッファーに新規のパケットデータが到達すれば、予め定められるバッファー状態情報伝送周期によってバッファー状態伝送時点を決定する伝送時点決定器と、
前記バッファー状態伝送時点で、前記バッファー状態情報を伝送するバッファー状態送信器と、
前記伝送開始時点から前記チャネル状態情報を伝送するチャネル状態送信器と、を含めてなり、
前記伝送開始時点は、前記パケットデータの量が前記しきい値に到達する時点である
ことを特徴とする送信装置。
【請求項５９】
前記バッファー状態送信器は、
前記バッファー状態伝送時点で前記バッファー状態情報を通過させるスイッチと、
前記バッファー状態情報に、前記バッファー状態情報の伝送エラー検出のためのサイクリック・リダンダンシ・コード(ＣＲＣ)を付加するＣＲＣ付加部と、
前記ＣＲＣの付加された前記バッファー状態情報を、チャネル符号化して伝送するチャネル符号化部と、
から構成されることを特徴とする請求項５８に記載の送信装置。
【請求項６０】
前記伝送時点決定器は、
前記伝送開始時点から予め定められるチャネル状態伝送周期によるチャネル状態伝送時点を決定することを特徴とする請求項５８に記載の送信装置。
【請求項６１】
前記チャネル状態送信器は、
前記決定されたチャネル状態伝送時点で、前記チャネル状態情報を周期的に伝送することを特徴とする請求項６０に記載の送信装置。
【請求項６２】
前記チャネル状態送信器は、
前記決定されたチャネル状態伝送時点で、前記チャネル状態情報を通過させるスイッチと、
前記チャネル状態情報をチャネル符号化して伝送するチャネル符号化部と、
から構成されることを特徴とする請求項６１に記載の送信装置。
【請求項６３】
前記チャネル状態送信器は、
前記バッファー状態伝送時点で、前記チャネル状態情報を伝送することを特徴とする請求項５８に記載の送信装置。
【請求項６４】
前記チャネル状態送信器は、
前記バッファー状態伝送時点で、前記チャネル状態情報を通過させるスイッチと、
前記チャネル状態情報をチャネル符号化して伝送するチャネル符号化部と、
から構成されることを特徴とする請求項６３に記載の送信装置。
【請求項６５】
前記伝送時点決定器は、
前記伝送開始時点から前記バッファー状態情報伝送周期によって定められるバッファー状態伝送時点で、前記バッファーに新規のパケットデータが発生したかを確認し、前記新規のパケットデータが発生した場合には、前記バッファー状態情報を伝送するように前記バッファー状態送信器を制御することを特徴とする請求項５８に記載の送信装置。
【請求項６６】
前記バッファー状態送信器と前記チャネル状態送信器は、
前記バッファー状態情報と前記チャネル状態情報を、所定のスケジューリング区間の第１及び第２の領域でそれぞれ伝送することを特徴とする請求項５８に記載の送信装置。
【請求項６７】
前記伝送時点決定器は、
前記バッファー状態情報を伝送してからバッファー状態伝送周期以内に、前記上りリンクパケットデータサービスのスケジューリング割当情報が受信されないと、前記バッファー状態情報を伝送するように前記バッファー状態送信器を制御することを特徴とする請求項５８に記載の送信装置。
【請求項６８】
前記伝送時点決定器は、
前記バッファー状態情報と前記チャネル状態情報を最初に伝送してから前記バッファー状態伝送周期以内に、前記上りリンクパケットデータサービスのスケジューリング割当情報が受信されないと、前記バッファー状態情報と前記チャネル状態情報を伝送するように前記バッファー状態送信器と前記チャネル状態送信器を制御することを特徴とする請求項６７に記載の送信装置。
【請求項６９】
前記伝送開始及び終了決定器は、
前記伝送開始時点の後に、前記パケットデータの量が前記しきい値よりも小さくなる時点を、前記伝送終了時点と決定することを特徴とする請求項５８に記載の送信装置。
【請求項７０】
前記伝送開始及び終了決定器は、
前記伝送開始時点の後に、前記バッファー状態情報と前記チャネル状態情報伝送の中断を要請するメッセージが受信される時点を、前記伝送終了時点と決定することを特徴とする請求項５８に記載の送信装置。
【請求項７１】
上りリンクパケットデータサービスを支援する移動通信システムにおいて、前記上りリンクパケットデータサービスのスケジューリングを遂行するために、使用者端末からバッファー状態情報とチャネル状態情報を受信する基地局の受信装置であって、
前記バッファー状態情報と前記チャネル状態情報の受信開始時点からバッファー状態受信時点とチャネル状態受信時点を決定する受信時点制御器と、
前記使用者端末から前記バッファー状態情報が最初に受信されたか否かを判断し、このバッファー状態情報を最初に受信した時点を、前記受信開始時点と決定し、前記バッファー状態受信時点で前記使用者端末から前記バッファー状態情報が受信された否かを判断して前記バッファー状態情報を受信するバッファー状態受信器と、
前記チャネル状態受信時点で、前記チャネル状態情報を受信するチャネル状態受信器と、
を含めてなることを特徴とする受信装置。
【請求項７２】
前記バッファー状態受信器は、
前記バッファー状態情報を含むと推定される受信データと前記受信データの伝送エラー検出のためのサイクリック・リダンダンシ・コード(ＣＲＣ)を通過させるスイッチと、
前記ＣＲＣを検査し、前記受信データにエラーがなければ、前記受信データを出力するＣＲＣ検査器と、
前記受信データを復号して前記バッファー状態情報を検出するチャネル復号化部と、を含み、
前記スイッチは、前記受信開始時点以前には、前記受信データと前記ＣＲＣを持続して通過させ、前記受信開始時点以後には、前記バッファー状態受信時点で前記受信データと前記ＣＲＣを通過させる
ことを特徴とする請求項７１に記載の受信装置。
【請求項７３】
前記チャネル状態受信器は、
前記決定されたチャネル状態受信時点で、前記チャネル状態情報を含む受信データを通過させるスイッチと、
前記受信データを復号して前記チャネル状態情報を検出するチャネル復号化部と、
を含むことを特徴とする請求項７１に記載の受信装置。
【請求項７４】
前記バッファー状態受信器と前記チャネル状態受信器は、
前記バッファー状態情報と前記チャネル状態情報を、所定のスケジューリング区間の第１及び第２の領域でそれぞれ受信することを特徴とする請求項７１に記載の受信装置。
【請求項７５】
前記チャネル状態受信器は、
前記受信開始時点から、予め定められるチャネル状態受信周期の整数倍だけ離れたスケジューリング区間それぞれの第２の領域で、前記チャネル状態情報を周期的に受信することを特徴とする請求項７４に記載の受信装置。
【請求項７６】
前記チャネル状態受信器は、
前記バッファー状態情報を含むスケジューリング区間それぞれの第２の領域で、前記チャネル状態情報を受信することを特徴とする請求項７４に記載の受信装置。
【請求項７７】
前記バッファー状態情報と前記チャネル状態情報を受信してから前記バッファー状態伝送周期以内に、前記上りリンクパケットデータサービスのスケジューリング割当情報を伝送するスケジューラをさらに含むことを特徴とする請求項７１に記載の受信装置。
【請求項７８】
前記受信時点制御器は、
前記受信したバッファー状態情報と前記使用者端末からの受信データ量を用いて、前記使用者端末のバッファー状態を推定し、このバッファー状態情報推定値が、予め定められるしきい値未満であれば、前記バッファー状態情報と前記チャネル状態情報の受信終了時点と決定することを特徴とする請求項７１に記載の受信装置。
【請求項７９】
前記受信時点制御器は、
前記受信終了時点で前記バッファー状態情報と前記チャネル状態情報伝送の中断を要請するメッセージを伝送するように制御することを特徴とする請求項７８に記載の受信装置。
【請求項８０】
上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンクの送信電力を表すチャネル状態情報とを伝送する方法であって、
(１)予め定められるバッファー状態情報伝送周期従うバッファー状態伝送時点のうち、第１のバッファー状態伝送時点を待機するステップと、
(２)前記バッファー状態伝送時点で、前記バッファーに格納されているパケットデータの量をモニタリングするステップと、
(３)前記バッファーに格納されているパケットデータの量が、予め定められるしきい値以上であれば、前記バッファー状態情報と前記チャネル状態情報を最初に伝送するステップと、
(４)前記バッファー状態情報と前記チャネル状態情報を最初に伝送した後に、第２のバッファー状態伝送時点で、前記バッファーに新規のパケットデータが到達するか否かを判断するステップと、
(５)前記第２のバッファー状態伝送時点で、前記バッファーに新規のパケットデータが到達すると、前記バッファー状態情報を伝送するステップと、
を含めてなることを特徴とする方法。
【請求項８１】
前記バッファー状態情報は、サイクリック・リダンダンシ・コード(ＣＲＣ)が付加されて伝送されることを特徴とする請求項８０に記載の方法。
【請求項８２】
チャネル状態伝送周期を獲得し、
前記バッファー状態情報と前記チャネル状態情報を最初に伝送した後に、前記チャネル状態伝送周期にしたがって前記チャネル状態情報を周期的に伝送するステップをさらに含むことを特徴とする請求項８０に記載の方法。
【請求項８３】
前記ステップ(５)は、
前記バッファー状態情報と前記チャネル状態情報を最初に伝送した後に、前記チャネル状態情報を前記バッファー状態情報と共に伝送するステップをさらに含むことを特徴とする請求項８０に記載の方法。
【請求項８４】
前記ステップ(３)は、前記バッファー状態情報と前記チャネル状態情報を、所定のスケジューリング区間の第１及び第２の領域でそれぞれ伝送するステップを含み、前記ステップ(５)は、前記バッファー状態情報を、前記スケジューリング区間の第１の領域で伝送するステップを含むことを特徴とする請求項８０に記載の方法。
【請求項８５】
前記バッファー状態伝送時点は、下記の数学式によって定められることを特徴とする請求項８４に記載の方法。
(CNTsch_int - offset)mod(T/Tsch_int) = 0
（式中、ＣＮＴsch_intは、前記バッファー状態伝送時点を表すスケジューリング区間番号であり、offsetは、上りリンクパケットデータサービスを提供する他の端末と可能なかぎり重複しないように前記使用者端末に対して設定される整数値であり、ｍｏｄは、２つのオペランド間の除算による余りを求める演算子であり、Ｔは、前記バッファー状態情報伝送周期であり、Ｔsch_intは、前記スケジューリング区間長さである。）
【請求項８６】
前記バッファー状態情報を伝送してから前記バッファー状態情報伝送周期以内に、前記上りリンクパケットデータサービスのスケジューリング割当情報が受信されないと、前記バッファー状態情報を伝送することを特徴とする請求項８０に記載の方法。
【請求項８７】
前記バッファー状態情報を最初に伝送してから前記バッファー状態情報伝送周期以内に、前記上りリンクパケットデータサービスのスケジューリング割当情報が受信されないと、前記バッファー状態情報と前記チャネル状態情報を共に伝送することを特徴とする請求項８６に記載の方法。
【請求項８８】
前記バッファー状態情報と前記チャネル状態情報を最初に伝送した後に、前記パケットデータの量が、予め定められるしきい値よりも小さくなると、前記バッファー状態情報と前記チャネル状態情報の伝送を中断するステップをさらに含むことを特徴とする請求項８０に記載の方法。
【請求項８９】
前記バッファー状態情報と前記チャネル状態情報を最初に伝送した後に、基地局から前記バッファー状態情報と前記チャネル状態情報伝送の中断を要請するメッセージが受信されると、前記バッファー状態情報と前記チャネル状態情報の伝送を中断するステップをさらに含むことを特徴とする請求項８０に記載の方法。
【請求項９０】
上りリンクパケットデータサービスを支援する移動通信システムにおいて、前記上りリンクパケットデータサービスのスケジューリングのために、基地局が使用者端末からバッファー状態情報とチャネル状態情報を受信する方法であって、
(１)予め定められるバッファー状態受信周期によるあるバッファー状態受信時点を待機するステップと、
(２)前記バッファー状態受信時点で、前記使用者端末から前記バッファー状態情報を含むと推定される受信データと前記受信データの伝送エラー検出のためのサイクリック・リダンダンシ・コード(ＣＲＣ)とを受信するステップと、
(３)前記受信データにエラーがなければ、前記受信データから前記バッファー状態情報を検出するステップと、
(４)前記バッファー状態情報を最初に検出した後に、前記バッファー状態受信周期にしたがって前記バッファー状態情報を周期的に受信するステップと、
(５)前記チャネル状態情報を最初に受信するステップと、
を含むことを特徴とする方法。
【請求項９１】
前記ステップ(４)は、
前記バッファー状態受信時点で、前記バッファー状態情報を含むと推定される受信データと前記受信データの伝送エラー検出のためのサイクリック・リダンダンシ・コード(ＣＲＣ)を受信するステップと、
前記受信データにエラーがなければ、この受信データから前記バッファー状態情報を検出するステップと、
を含むことを特徴とする請求項９０に記載の方法。
【請求項９２】
前記ステップ(２)及び(４)は、前記バッファー状態情報を、所定のスケジューリング区間の第１の領域で受信するステップを含み、前記ステップ(５)は、前記チャネル状態情報を、前記スケジューリング区間の第２の領域で受信するステップを含むことを特徴とする請求項９０に記載の方法。
【請求項９３】
前記バッファー状態受信時点は、下記の数学式によって定められることを特徴とする請求項９２に記載の方法。
(CNTsch_int - offset)mod(T/Tsch_int) = 0
（式中、ＣＮＴsch_intは、前記バッファー状態受信時点を表すスケジューリング区間番号であり、offsetは、上りリンクパケットデータサービスを提供する他の端末と可能なかぎり重複しないように前記使用者端末に対して設定される整数値であり、ｍｏｄは、２つのオペランド間の除算による余りを求める演算子であり、Ｔは、前記バッファー状態受信周期であり、Ｔsch_intは、前記スケジューリング区間長さである。）
【請求項９４】
前記バッファー状態情報を最初に検出した後から、予め定められるチャネル状態受信周期の整数倍だけ離れたスケジューリング区間それぞれの第２の領域で、前記チャネル状態情報を周期的に受信するステップをさらに含むことを特徴とする請求項９２に記載の方法。
【請求項９５】
前記バッファー状態情報を含むスケジューリング区間それぞれの第２の領域で、前記チャネル状態情報を受信するステップをさらに含むことを特徴とする請求項９２に記載の方法。
【請求項９６】
前記バッファー状態情報を受信した後に、予め定められるバッファー状態受信周期以内に、前記上りリンクパケットデータサービスのスケジューリング割当情報を伝送するステップをさらに含むことを特徴とする請求項９０に記載の方法
【請求項９７】
前記検出したバッファー状態情報と前記使用者端末からの受信データ量を用いて、前記使用者端末のバッファー状態を推定するステップと、
前記バッファー状態推定値が予め定められるしきい値未満であれば、前記バッファー状態情報の受信を中断するステップをさらに含むことを特徴とする請求項９０に記載の方法。
【請求項９８】
前記バッファー状態情報の受信を中断し、前記使用者端末に前記バッファー状態情報と前記チャネル状態情報伝送の中断を要請するメッセージを伝送するステップをさらに含むことを特徴とする請求項９７に記載の方法。
【請求項９９】
上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンク送信電力を表すチャネル状態情報とを伝送する前記使用者端末の送信装置であって、
予め定められるバッファー状態情報伝送周期に従うバッファー状態伝送時点で、前記バッファーに格納されているパケットデータの量をモニタリングし、このバッファーに格納されているパケットデータの量を予め定められるしきい値と比較して、前記バッファー状態情報と前記チャネル状態情報の伝送開始時点と伝送終了時点を決定する伝送開始及び終了決定器と、
前記バッファー状態伝送時点で、前記バッファーに新規のパケットデータが到達するか否かを判断する伝送時点決定器と、
前記バッファー状態伝送時点で、前記バッファーに新規のパケットデータが到達すると、前記バッファー状態情報を伝送するバッファー状態送信器と、
前記伝送開始時点で前記チャネル状態情報を伝送するチャネル状態送信器と、を含めてなり、
前記伝送開始時点は、前記パケットデータの量が前記しきい値に到達する時点である
ことを特徴とする送信装置。
【請求項１００】
前記バッファー状態送信器は、
前記バッファー状態伝送時点で前記バッファー状態情報を通過させるスイッチと、
前記バッファー状態情報に、前記バッファー状態情報の伝送エラー検出のためのサイクリック・リダンダンシ・コード(ＣＲＣ)を付加するＣＲＣ付加部と、
前記ＣＲＣの付加された前記バッファー状態情報を、チャネル符号化して伝送するチャネル符号化部と、
から構成されることを特徴とする請求項９９に記載の送信装置。
【請求項１０１】
前記伝送時点決定器は、
前記伝送開始時点から予め定められるチャネル状態伝送周期によるチャネル状態伝送時点を決定することを特徴とする請求項９９に記載の送信装置。
【請求項１０２】
前記チャネル状態送信器は、
前記決定されたチャネル状態伝送時点で、前記チャネル状態情報を周期的に伝送することを特徴とする請求項１０１に記載の送信装置。
【請求項１０３】
前記チャネル状態送信器は、
前記決定されたチャネル状態伝送時点で、前記チャネル状態情報を通過させるスイッチと、
前記チャネル状態情報をチャネル符号化して伝送するチャネル符号化部と、
から構成されることを特徴とする請求項１０２に記載の送信装置。
【請求項１０４】
前記チャネル状態送信器は、
前記バッファー状態伝送時点で、前記チャネル状態情報を伝送することを特徴とする請求項９９に記載の送信装置。
【請求項１０５】
前記チャネル状態送信器は、
前記バッファー状態伝送時点で、前記チャネル状態情報を通過させるスイッチと、
前記チャネル状態情報をチャネル符号化して伝送するチャネル符号化部と、
から構成されることを特徴とする請求項１０４に記載の送信装置。
【請求項１０６】
前記バッファー状態送信器と前記チャネル状態送信器は、
前記バッファー状態情報と前記チャネル状態情報を、所定のスケジューリング区間の第１及び第２の領域でそれぞれ伝送することを特徴とする請求項９９に記載の送信装置。
【請求項１０７】
前記バッファー状態伝送時点は、下記の数学式によって定められることを特徴とする請求項１０６に記載の送信装置。
(CNTsch_int - offset)mod(T/Tsch_int) = 0
（式中、ＣＮＴsch_intは、前記バッファー状態伝送時点を表すスケジューリング区間番号であり、offsetは、上りリンクパケットデータサービスを提供する他の端末と可能なかぎり重複しないように前記使用者端末に対して設定される整数値であり、ｍｏｄは、２つのオペランド間の除算による余りを求める演算子であり、Ｔは、前記バッファー状態情報伝送周期であり、Ｔsch_intは、前記スケジューリング区間長さである。）
【請求項１０８】
前記伝送時点決定器は、
前記バッファー状態情報を伝送してからバッファー状態伝送周期以内に、前記上りリンクパケットデータサービスのスケジューリング割当情報が受信されないと、前記バッファー状態情報を伝送するように前記バッファー状態送信器を制御することを特徴とする請求項９９に記載の送信装置。
【請求項１０９】
前記伝送時点決定器は、
前記バッファー状態情報と前記チャネル状態情報を最初に伝送してから前記バッファー状態伝送周期以内に、前記上りリンクパケットデータサービスのスケジューリング割当情報が受信されないと、前記バッファー状態情報と前記チャネル状態情報を伝送するように前記バッファー状態送信器と前記チャネル状態送信器を制御することを特徴とする請求項１０８に記載の送信装置。
【請求項１１０】
前記伝送開始及び終了決定器は、
前記伝送開始時点の後に、前記パケットデータの量が前記しきい値よりも小さくなる時点を、前記伝送終了時点と決定することを特徴とする請求項９９に記載の送信装置。
【請求項１１１】
前記伝送開始及び終了決定器は、
前記伝送開始時点の後に、前記バッファー状態情報と前記チャネル状態情報伝送の中断を要請するメッセージが受信される時点を、前記伝送終了時点と決定することを特徴とする請求項９９に記載の送信装置。
【請求項１１２】
上りリンクパケットデータサービスを支援する移動通信システムにおいて、前記上りリンクパケットデータサービスのスケジューリングを遂行するために、使用者端末からバッファー状態情報とチャネル状態情報を受信する基地局の受信装置であって、
前記バッファー状態情報と前記チャネル状態情報の受信開始時点から、バッファー状態受信時点とチャネル状態受信時点を決定する受信時点制御器と、
前記バッファー状態受信時点で、前記使用者端末から前記バッファー状態情報が最初に受信されるか否かを判断することによって、前記バッファー状態情報が最初に受信される時点を前記受信開始時点と決定し、前記バッファー状態受信時点で前記使用者端末から前記バッファー状態情報が受信されるか否かを判断することによって、前記バッファー状態情報を受信するバッファー状態受信器と、
前記チャネル状態受信時点で前記チャネル状態情報を受信するチャネル状態受信器と、を含めてなり、
前記バッファー状態受信時点は、予め定められるバッファー状態受信周期によって定められる
ことを特徴とする受信装置。
【請求項１１３】
前記バッファー状態受信器は、
前記バッファー状態情報を含むと推定される受信データとこの受信データの伝送エラー検出のためのサイクリック・リダンダンシ・コード(ＣＲＣ)を通過させるスイッチと、
前記ＣＲＣを検査し、前記受信データにエラーがなければ、前記受信データを出力するＣＲＣ検査器と、
前記受信データを復号して前記バッファー状態情報を検出するチャネル復号化部と、を含み、
前記スイッチは、前記受信開始時点以前には、前記受信データと前記ＣＲＣを持続して通過させ、前記受信開始時点以後には、前記バッファー状態受信時点で前記受信データと前記ＣＲＣを通過させる
ことを特徴とする請求項１１２に記載の受信装置。
【請求項１１４】
前記チャネル状態受信器は、
前記チャネル状態受信時点で、前記チャネル状態情報を含む受信データを通過させるスイッチと、
前記受信データを復号して前記チャネル状態情報を検出するチャネル復号化部と、
を含むことを特徴とする請求項１１２に記載の受信装置。
【請求項１１５】
前記バッファー状態受信器と前記チャネル状態受信器は、
前記バッファー状態情報と前記チャネル状態情報を、所定のスケジューリング区間の第１及び第２の領域でそれぞれ受信することを特徴とする請求項１１２に記載の受信装置。
【請求項１１６】
前記バッファー状態受信時点は、下記の数学式によって定められることを特徴とする請求項１１５に記載の受信装置。
(CNTsch_int - offset)mod(T/Tsch_int) = 0
（式中、ＣＮＴsch_intは、前記バッファー状態受信時点を表すスケジューリング区間番号であり、offsetは、上りリンクパケットデータサービスを提供する他の端末と可能なかぎり重複しないように前記使用者端末に対して設定される整数値であり、ｍｏｄは、２つのオペランド間の除算による余りを求める演算子であり、Ｔは、前記バッファー状態受信周期であり、Ｔsch_intは、前記スケジューリング区間長さである。）
【請求項１１７】
前記チャネル状態受信器は、
前記受信開始時点から、予め定められるチャネル状態受信周期の整数倍だけ離れたスケジューリング区間それぞれの第２の領域で、前記チャネル状態情報を周期的に受信することを特徴とする請求項１１５に記載の受信装置。
【請求項１１８】
前記チャネル状態受信器は、
前記バッファー状態情報を含むスケジューリング区間それぞれの第２の領域で、前記チャネル状態情報を受信することを特徴とする請求項１１５に記載の受信装置。
【請求項１１９】
前記バッファー状態情報と前記チャネル状態情報を受信してから前記バッファー状態伝送周期以内に、前記上りリンクパケットデータサービスのスケジューリング割当情報を伝送するスケジューラをさらに含むことを特徴とする請求項１１２に記載の受信装置。
【請求項１２０】
前記受信時点制御器は、
前記受信したバッファー状態情報と前記使用者端末からの受信データ量を用いて、前記使用者端末のバッファー状態を推定し、このバッファー状態情報推定値が、予め定められるしきい値未満であれば、前記バッファー状態情報と前記チャネル状態情報の受信終了時点と決定することを特徴とする請求項１１２に記載の受信装置。
【請求項１２１】
前記受信時点制御器は、
前記受信終了時点で前記バッファー状態情報と前記チャネル状態情報伝送の中断を要請するメッセージを伝送するように制御することを特徴とする請求項１２０に記載の受信装置。
【請求項１２２】
上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンクの送信電力を表すチャネル状態情報とを伝送する方法であって、
(１)前記バッファーに格納されているパケットデータの量をモニタリングするステップと、
(２)前記バッファーに格納されているパケットデータの量が、予め定められるしきい値以上であれば、前記バッファー状態情報と前記チャネル状態情報を最初に伝送し、予め定められるバッファー状態情報伝送周期に設定されたタイマーを起動するステップと、
(３)前記バッファーに新規のパケットデータが発生すれば、前記バッファー状態情報を伝送し、前記タイマーを再起動するステップと、
(４)前記タイマーが満期になると、前記バッファー状態情報を伝送するステップと、
(５)前記タイマーを再起動するステップと、
を含めてなることを特徴とする方法。
【請求項１２３】
前記バッファー状態情報は、サイクリック・リダンダンシ・コード(ＣＲＣ)が付加れて伝送されることを特徴とする請求項１２２に記載の方法。
【請求項１２４】
前記バッファー状態情報と前記チャネル状態情報を最初に伝送した後に、予め定められるチャネル状態伝送周期にしたがって前記チャネル状態情報を周期的に伝送するステップをさらに含むことを特徴とする請求項１２２に記載の方法。
【請求項１２５】
前記バッファーに新規のパケットデータが発生するか、或いは、前記タイマーが満期になると、前記チャネル状態情報を前記バッファー状態情報と共に伝送するステップをさらに含むことを特徴とする請求項１２２に記載の方法。
【請求項１２６】
前記ステップ(２)は、前記バッファー状態情報及びチャネル状態情報を、所定のスケジューリング区間の第１及び第２の領域で伝送するステップを含み、前記ステップ(３)及び(４)は、前記バッファー状態情報を、前記スケジューリング区間の第１の領域で伝送するステップを含むことを特徴とする請求項１２２に記載の方法。
ことを特徴とする請求項１２２に記載の方法。
【請求項１２７】
前記バッファー状態情報を伝送してから前記バッファー状態情報伝送周期以内に、前記上りリンクパケットデータサービスのスケジューリング割当情報が受信されないと、前記バッファー状態情報を伝送するステップをさらに含むことを特徴とする請求項１２２に記載の方法。
【請求項１２８】
前記バッファー状態情報と前記チャネル状態情報を最初に伝送してから前記バッファー状態情報伝送周期以内に、前記上りリンクパケットデータサービスのスケジューリング割当情報が受信されないと、前記バッファー状態情報と前記チャネル状態情報を伝送することを特徴とする請求項１２７に記載の方法。
【請求項１２９】
前記バッファー状態情報と前記チャネル状態情報を最初に伝送した後に、前記パケットデータの量が前記しきい値よりも小さくなると、前記バッファー状態情報と前記チャネル状態情報の伝送を中断するステップをさらに含むことを特徴とする請求項１２２に記載の方法。
【請求項１３０】
前記バッファー状態情報と前記チャネル状態情報を最初に伝送した後に、基地局から、前記バッファー状態情報と前記チャネル状態情報伝送の中断を要請するメッセージが受信されると、前記バッファー状態情報と前記チャネル状態情報の伝送を中断するステップをさらに含むことを特徴とする請求項１２２に記載の方法。
【請求項１３１】
上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンク送信電力を表すチャネル状態情報とを伝送する前記使用者端末の送信装置であって、
前記バッファーに格納されているパケットデータの量をモニタリングし、前記バッファーに格納されているパケットデータの量を予め定められるしきい値と比較して、前記バッファー状態情報及び前記チャネル状態情報の伝送開始時点と伝送終了時点を決定する伝送開始及び終了決定器と、
前記伝送開始時点で予め定められるバッファー状態情報伝送周期に設定されたタイマーを起動し、該タイマーが満期になったとき、及び、前記バッファーに新規のパケットデータが到達したときに、前記タイマーを再起動し、前記タイマーが再起動される時点をバッファー状態伝送時点と決定する伝送時点決定器と、
前記バッファー状態伝送時点で前記バッファー状態情報を伝送するバッファー状態送信器と、
前記伝送開始時点から前記チャネル状態情報を伝送するチャネル状態送信器と、を含めてなり、
前記伝送開始時点は、前記パケットデータの量が前記しきい値に到達する時点である
ことを特徴とする送信装置。
【請求項１３２】
前記バッファー状態送信器は、
前記バッファー状態伝送時点で前記バッファー状態情報を通過させるスイッチと、
前記バッファー状態情報に、前記バッファー状態情報の伝送エラー検出のためのサイクリック・リダンダンシ・コード(ＣＲＣ)を付加するＣＲＣ付加部と、
前記ＣＲＣの付加された前記バッファー状態情報を、チャネル符号化して伝送するチャネル符号化部と、
から構成されることを特徴とする請求項１３１に記載の方法。
【請求項１３３】
前記伝送時点決定器は、
前記伝送開始時点から予め定められるチャネル状態伝送周期によるチャネル状態伝送時点を決定することを特徴とする請求項１３１に記載の送信装置。
【請求項１３４】
前記チャネル状態送信器は、
前記決定されたチャネル状態伝送時点で、前記チャネル状態情報を周期的に伝送することを特徴とする請求項１３３に記載の送信装置。
【請求項１３５】
前記チャネル状態送信器は、
前記決定されたチャネル状態伝送時点で、前記チャネル状態情報を通過させるスイッチと、
前記チャネル状態情報をチャネル符号化して伝送するチャネル符号化部と、
から構成されることを特徴とする請求項１３４に記載の送信装置。
【請求項１３６】
前記チャネル状態送信器は、
前記バッファー状態伝送時点で前記チャネル状態情報を伝送することを特徴とする請求項１３１に記載の送信装置。
【請求項１３７】
前記チャネル状態送信器は、
前記バッファー状態伝送時点で前記チャネル状態情報を通過させるスイッチと、
前記チャネル状態情報をチャネル符号化して伝送するチャネル符号化部と、
から構成されることを特徴とする請求項１３６に記載の送信装置。
【請求項１３８】
前記バッファー状態送信器と前記チャネル状態送信器は、
前記バッファー状態情報と前記チャネル状態情報を、所定のスケジューリング区間の第１及び第２の領域でそれぞれ伝送することを特徴とする請求項１３１に記載の送信装置。
【請求項１３９】
前記伝送時点決定器は、
前記バッファー状態情報を伝送してから前記バッファー状態情報伝送周期以内に、前記上りリンクパケットデータサービスのスケジューリング割当情報が受信されないと、前記バッファー状態情報を伝送するように前記バッファー状態送信器を制御することを特徴とする請求項１３１に記載の送信装置。
【請求項１４０】
前記伝送時点決定器は、
前記バッファー状態情報と前記チャネル状態情報を最初に伝送してから前記バッファー状態情報伝送周期以内に、前記上りリンクパケットデータサービスのスケジューリング割当情報が受信されないと、前記バッファー状態情報と前記チャネル状態情報を伝送するように前記バッファー状態送信器と前記チャネル状態送信器を制御することを特徴とする請求項１３９に記載の送信装置。
【請求項１４１】
前記伝送開始及び終了決定器は、
前記伝送開始時点の後に、前記パケットデータの量が前記しきい値よりも小さくなる時点を、前記伝送終了時点と決定することを特徴とする請求項１３１に記載の送信装置。
【請求項１４２】
前記伝送開始及び終了決定器は、
前記伝送開始時点の後に、前記バッファー状態情報と前記チャネル状態情報伝送の中断を要請するメッセージが受信される時点を、前記伝送終了時点と決定することを特徴とする請求項１３１に記載の送信装置。
【発明の詳細な説明】
【技術分野】
【０００１】
本発明は、移動通信システムに関し、特に、上りリンク(Uplink)を通してパケットデータを伝送するためのスケジューリング情報及びスケジューリング割当情報を效率よく送受信する方法及び装置に関する。
【背景技術】
【０００２】
非同期方式である広帯域符号分割多重接続(Wideband Code Division Multiple Access：以下、“ＷＣＤＭＡ”と称する。)通信システムでは、上りリンクを通した高速のパケットデータサービスを支援するために、向上した逆方向専用チャネル(Enhanced Uplink Dedicated Channel：以下、“ＥＵＤＣＨ”と称する。)を使用する。このＥＵＤＣＨは、非同期符号分割多重接続通信システムにおいて逆方向パケット伝送の性能を改善するために提案されたチャネルである。このようなＥＵＤＣＨ技術では、高速順方向パケット接続方式(High Speed Downlink Packet Access：以下、“ＨＳＤＰＡ”と称する。)で使用されているＡＭＣ(Adaptive Modulation and Coding)及びＨＡＲＱ(Hybrid Automatic Retransmission Request)などの既存の方法の他に、より短い伝送時間区間(transmission time interval：以下、“ＴＴＩ”と称する。)を用いる新規の技術をも使用する。また、上りリンクチャネルには基地局(Ｎｏｄｅ Ｂ)制御スケジューリングが適用される。この上りリンクに対するＮｏｄｅ Ｂ制御スケジューリングは、下りリンクに対するスケジューリングと大きな違いを持つ。
【０００３】
複数個の使用者端末(User Equipment：以下、“ＵＥ”と称する。)が送信した上りリンク信号は、相互間に直交性が保持されないので、これらの上りリンク信号は相互間に干渉信号として作用する。このため、Ｎｏｄｅ Ｂが受信する上りリンク信号が増加するほど、特定ＵＥが伝送する上りリンク信号に対する干渉信号の量も増加し、よって、Ｎｏｄｅ Ｂの受信性能は低下してしまう。この種の問題は、上りリンク送信電力を増加させることで克服することができるが、この増加された送信電力を持つ上りリンク信号は、他の信号について干渉信号として作用する。したがって、前記Ｎｏｄｅ Ｂは、下記の数学式（１）式に示すように、前記受信性能を保証しつつ受信可能な上りリンク信号の量を制限する。
【０００４】
［数１］
ＲＯＴ＝Ｉ＿０／Ｎ＿０  ・・・（１）
【０００５】
式中、Ｉ＿０は、Ｎｏｄｅ Ｂの全体受信広帯域電力スペクトル密度(Power spectral density)を表し、Ｎ＿０は、Ｎｏｄｅ Ｂの熱雑音電力スペクトル密度を表す。したがって、ＲＯＴは、Ｎｏｄｅ ＢがＥＵＤＣＨパケットデータサービスを受信するために割り当て得る上りリンク無線資源となる。
【０００６】
図１Ａ及び図１Ｂは、Ｎｏｄｅ Ｂから割り当てる上りリンク無線資源の変化を示している。図１Ａ及び図１Ｂに示すように、Ｎｏｄｅ Ｂが割り当て得る上りリンク無線資源は、ＩＣＩ(Inter-cell interference)、音声トラヒック(Voice traffic)、及びＥＵＤＣＨパケットトラヒックの和で表される。
【０００７】
図１Ａは、Ｎｏｄｅ Ｂ制御スケジューリングを使用しない場合の総ＲＯＴ(Total ROT)の変化を示している。前記ＥＵＤＣＨパケットトラヒックに対してスケジューリングがなされないために、複数個のＵＥが同時に高いデータレートで前記パケットデータを伝送すると、総ＲＯＴは目標ＲＯＴ(Target ROT)よりも高くなり、上りリンク信号の受信性能の劣化につながる。
【０００８】
図１Ｂは、Ｎｏｄｅ Ｂ制御スケジューリングを使用する場合の総ＲＯＴの変化を示している。Ｎｏｄｅ Ｂ制御スケジューリングを使用すると、複数個のＵＥが同時に高いデータレートで前記パケットデータを伝送するのを防止することができる。すなわち、このＮｏｄｅ Ｂ制御スケジューリングは、特定のＵＥに高いデータレートを許容する場合にその他のＵＥには低いデータレートを許容することによって、総ＲＯＴが目標ＲＯＴを超えるのを防止する。したがって、このＮｏｄｅ Ｂ制御スケジューリングによれば、常に一定の受信性能が保証される。
【０００９】
Ｎｏｄｅ Ｂは、前記ＥＵＤＣＨを使用するＵＥの要請データレートまたは上りリンクの送信品質を表すチャネル状況情報を用いて、各ＵＥ別にＥＵＤＣＨデータ伝送可否を通報したり、それらのＥＵＤＣＨデータレートを調整する。このＮｏｄｅ Ｂ制御スケジューリングは、移動通信システムの性能を向上させるために、これらＵＥにデータレートを割り当て、Ｎｏｄｅ Ｂの総ＲＯＴが目標ＲＯＴを越えないようにする。したがって、Ｎｏｄｅ Ｂは、遠くにあるＵＥには相対的に低いデータレートを割り当て、近くにあるＵＥには相対的に高いデータレートを割り当てる。
【００１０】
図２は、ＥＵＤＣＨに対するＮｏｄｅ Ｂ制御スケジューリングの基本概念を示している。図２の２００は、ＥＵＤＣＨを支援するＮｏｄｅ Ｂを表し、２１０ないし２１６はＥＵＤＣＨを使用するＵＥを表す。あるＵＥのデータレートが高くなると、Ｎｏｄｅ ＢがこのＵＥからデータを受信する受信電力が増加し、よって、このＵＥのＲＯＴは、総ＲＯＴにおいて多い部分を占めることになる。一方、他のＵＥのデータレートが低くなると、Ｎｏｄｅ Ｂがこの他のＵＥからデータを受信する受信電力が小さくなり、よって、この他のＵＥのＲＯＴは、総ＲＯＴにおいて少ない部分を占めることになる。前記Ｎｏｄｅ Ｂは、データレートと無線資源間の関係、ＵＥが要請するデータレートを考慮して前記ＥＵＤＣＨパケットデータに対するスケジューリングを遂行する。
【００１１】
図２で、ＵＥ(２１０，２１２，２１４，２１６)は、距離にしたがってＮｏｄｅ Ｂ ２００と相互に異なる逆方向送信電力でパケットデータを送信している。すなわち、Ｎｏｄｅ Ｂ ２００から最も遠く離れたＵＥ ２１０は、最も高い逆方向チャネルの送信電力２２０でパケットデータを送信し、Ｎｏｄｅ Ｂ ２００と最も近くにあるＵＥ ２１４は、最も低い逆方向チャネルの送信電力２２４でパケットデータを送信する。Ｎｏｄｅ Ｂ ２００は、総ＲＯＴを保持しながら他のセルに対するＩＣＩを減らし、かつ、移動通信システムの性能を向上させるために、逆方向チャネルの送信電力の強さとデータレートが反比例するようにスケジューリングを遂行する。すなわち、逆方向チャネルの送信電力が最も高いＵＥ ２１０に対しては相対的に小さいデータレートを割り当て、逆方向チャネルの送信電力が最も低いＵＥ ２１４に対しては相対的に高いデータレートを割り当てる。
【００１２】
図３は、ＵＥが、Ｎｏｄｅ ＢからＥＵＤＣＨパケットデータ伝送のためのデータレートを受信し、この受信したデータレートを用いて前記パケットデータを伝送する動作を示している。図３を参照すると、ステップＳ３１０で、Ｎｏｄｅ Ｂ(３００)とＵＥ ３０２との間にＥＵＤＣＨが設定される。このステップＳ３１０は、専用伝送チャネル(Dedicated Transport Channel)を通したメッセージの送受信処理を含む。ステップＳ３１２で、ＵＥ ３０２は、Ｎｏｄｅ Ｂ(３００)へ、望むデータレート、バッファー状態情報、及び上りリンクチャネル状況に関連する情報などを伝送する。この上りリンクチャネル状況に関連する情報は、上りチャネル送信電力と送信電力マージンなどを含む。
【００１３】
このＮｏｄｅ Ｂ(３００)は、上りチャネルの送信電力と受信電力とを比較して上りチャネル状況を推定する。すなわち、上りチャネル送信電力と上りチャネル受信電力との差が小さければ、上りチャネル状況は良好であり、送信電力と受信電力との差が大きければ、上りチャネル状況は不良であることがわかる。ＵＥが送信電力マージンのみを伝送する場合に、Ｎｏｄｅ Ｂ(３００)は、この送信電力マージンを、既に知っているＵＥの最大可能送信電力から引くことによって前記上りリンク送信電力を推定する。この推定したＵＥのチャネル状況とＵＥ ３０２が所望するデータレートに関する情報に基づいて、Ｎｏｄｅ Ｂ(３００)は、前記ＵＥの上りリンクパケットチャネルのための最大可能データレートを決定する。
【００１４】
この決定された最大可能データレートは、ステップＳ３１４で、スケジューリング割当情報によりＵＥ ３０２に通報される。すると、このＵＥ ３０２は、通報された最大可能データレートの範囲内で、伝送するパケットデータのデータレートを決定し、ステップＳ３１６で、前記決定されたデータレートでＮｏｄｅ Ｂ(３００)に前記パケットデータを伝送する。
【００１５】
ＥＵＤＣＨデータバッファーに格納されている全てのパケットデータをＮｏｄｅ Ｂに伝送するために、ＵＥ ３０２は、Ｎｏｄｅ Ｂ(３００)からスケジューリング割当情報を一定周期単位に受信しなければならない。このために、前記ＵＥ ３０２は、前記バッファー状態情報と上りリンクチャネル状態(Channel Status Information：ＣＳＩ)を、所定のスケジューリング区間(Scheduling Interval)ごとに連続して前記Ｎｏｄｅ Ｂ(３００)に伝送するが、こうすると、上りリンクシグナリングのオーバーヘッドを招き、上りリンクパケット伝送の効率低下につながることになる。そこで、前記上りリンクシグナリングのオーバーヘッドを有効に防止しうるスケジューリング方案が望まれている。
【発明の開示】
【発明が解決しようとする課題】
【００１６】
上記事情に鑑みて、本発明の目的は、上りリンクパケット伝送時の上りリンクシグナリングオーバーヘッドを減らす方法及び装置を提供することにある。
【００１７】
本発明の他の目的は、シグナリングオーバーヘッドを減らすために、上りリンクを通して伝送するバッファー状態情報とＣＳＩの伝送周期を調節する方法及び装置を提供することにある。
【００１８】
本発明のさらに他の目的は、バッファー状態情報とＣＳＩの伝送周期を調節することによって、上りリンクパケットを效率よく伝送する方法及び装置を提供することにある。
【００１９】
本発明のさらに他の目的は、バッファー状態情報とＣＳＩの伝送周期を調節することによって、無線資源を效率よく使用する方法及び装置を提供することにある。
【課題を解決するための手段】
【００２０】
上記の目的を達成するための本発明は、上りリンクパケットデータサービスを支援する移動通信システムで、前記上りリンクパケットデータサービスのスケジューリングのために使用者端末が伝送しようとするパケットデータを格納しているバッファーのバッファー状態情報と上りリンクの送信電力を表すチャネル状態情報を伝送する方法であって、前記バッファーに格納されているパケットデータの量をモニタリングするステップと、前記バッファーに格納されているパケットデータの量が、予め定められるしきい値以上であれば、前記バッファー状態情報と前記チャネル状態情報の伝送を始めるステップと、前記バッファー状態情報と前記チャネル状態情報の伝送を始めた後に、前記バッファーに新規のパケットデータが発生すれば、前記バッファー状態情報を伝送するステップと、を含めてなることを特徴とする。
【００２１】
また、本発明は、上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンクの送信電力を表すチャネル状態情報を伝送する方法であって、前記バッファーに格納されているパケットデータの量をモニタリングするステップと、前記バッファーに格納されているパケットデータの量が、予め定められるしきい値以上であれば、前記バッファー状態情報と前記チャネル状態情報の伝送を始めるステップと、前記バッファー状態情報と前記チャネル状態情報の伝送を始めた後に、前記バッファーに新規のパケットデータが発生すれば、予め定められるバッファー状態情報伝送周期にしたがって前記バッファー状態情報を伝送するステップと、を含めてなることを特徴とする。
【００２２】
また、本発明は、上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンクの送信電力を表すチャネル状態情報とを伝送する方法であって、予め定められるバッファー状態情報伝送周期従うバッファー状態伝送時点のうち、第１のバッファー状態伝送時点を待機するステップと、前記バッファー状態伝送時点で、前記バッファーに格納されているパケットデータの量をモニタリングするステップと、前記バッファーに格納されているパケットデータの量が、予め定められるしきい値以上であれば、前記バッファー状態情報と前記チャネル状態情報を最初に伝送するステップと、前記バッファー状態情報と前記チャネル状態情報を最初に伝送した後に、第２のバッファー状態伝送時点で、前記バッファーに新規のパケットデータが到達するか否かを判断するステップと、前記第２のバッファー状態伝送時点で、前記バッファーに新規のパケットデータが到達すると、前記バッファー状態情報を伝送するステップと、を含めてなることを。
【００２３】
また、本発明は、上りリンクパケットデータサービスを支援する移動通信システムにおいて、前記上りリンクパケットデータサービスのスケジューリングのために、使用者端末が伝送しようとするパケットデータを格納しているバッファーのバッファー状態情報と上りリンクの送信電力を表すチャネル状態情報とを伝送する方法であって、前記バッファーに格納されているパケットデータの量をモニタリングするステップと、前記バッファーに格納されているパケットデータの量が、予め定められるしきい値以上であれば、前記バッファー状態情報と前記チャネル状態情報を最初に伝送し、予め定められるバッファー状態情報伝送周期に設定されたタイマーを起動するステップと、前記バッファーに新規のパケットデータが発生すれば、前記バッファー状態情報を伝送し、前記タイマーを再起動するステップと、前記タイマーが満期になると、前記バッファー状態情報を伝送するステップと、前記タイマーを再起動するステップと、を含めてなることを特徴とする。
【発明の効果】
【００２４】
本発明によれば、ＵＥがバッファー状態情報とＣＳＩを伝送した後に、ＥＵＤＣＨデータバッファーに新規データイベントが発生する場合及び／またはバッファー状態伝送周期に従ってバッファー状態伝送時点に到達した場合に、ＥＵＤＣＨデータバッファーのバッファー状態情報をＮｏｄｅ Ｂに伝送するので、バッファー状態の伝送回数を減少させるほか、Ｎｏｄｅ ＢがＵＥのバッファー状態を推定する上での遅延時間を縮めることが可能になる。
【発明を実施するための最良の形態】
【００２５】
以下、本発明が好ましい実施形態について、添付図面を参照しつつ詳細に説明する。なお、本発明を説明するにあたり、関連する公知機能や構成についての具体的な説明が、本発明の要旨を曖昧にするのを避けるために、その詳細な説明は省略する。
【００２６】
図４は、ＥＵＤＣＨサービスを支援するＵＥの送信機構造を示している。このＵＥにおいて、逆方向物理チャネルは、専用物理データチャネル(Dedicated Physical Data Channel：ＤＰＤＣＨ)、ＥＵＤＣＨサービスのための専用物理データチャネル(ＥＵ−ＤＰＤＣＨ)、専用物理制御チャネル(Dedicated Physical Control Channel：ＤＰＣＣＨ)、ＨＳＤＰＡサービスのための専用物理制御チャネル(High Speed DPDCH：ＨＳ-ＤＰＣＣＨ)、ＥＵＤＣＨサービスのための専用物理制御チャネル(ＥＵ−ＤＰＣＣＨ)などを使用する。
【００２７】
ＥＵ−ＤＰＣＣＨは、ＥＵＤＣＨサービスのための物理制御チャネルであって、ＵＥのバッファー状態情報と、Ｎｏｄｅ Ｂが上りリンクチャネル状況を推定する上で必要とされる上りリンク送信電力及び上りリンク送信電力マージンなどを含むチャネル状態情報(Channel State Information：ＣＳＩ)とを伝送する。また、このＥＵ−ＤＰＣＣＨは、前記ＥＵ−ＤＰＤＣＨのためのデータ大きさ、符号率、変調方式などの伝送フォーマットを表すパケットデータ伝送フォーマット因子(Transport Format and Resource Indicator：Ｅ−ＴＦＲＩ)を伝送する。該ＥＵ−ＤＰＤＣＨは、Ｎｏｄｅ Ｂから受信したスケジューリング割当情報に基づいて決定されたデータレートを使ってパケットデータを伝達する。前記ＥＵ−ＤＰＤＣＨは、ＢＰＳＫ(Binary Phase Shift Keying)変調方式のみに対応するが、前記ＥＵ−ＤＰＤＣＨは、同時に伝送する拡散コードの数を保持しながらデータレートを上げるために、このＢＰＳＫだけでなく、ＱＰＳＫ(Quadrature Phase Shift Keying)、８ＰＳＫ(8-ary PSK)などの上位変調方式にも対応可能である。
【００２８】
図４を参照すると、ＥＵＤＣＨ伝送制御器(EUDCH transmission controller)４０４は、ＥＵＤＣＨに伝送するデータが格納されているＥＵＤＣＨデータバッファー４００をモニタリングして、Ｎｏｄｅ Ｂ制御スケジューリングのために必要なバッファー状態情報を得、また、上りリンク送信経路(図示せず)からＣＳＩを得る。また、このＥＵＤＣＨ伝送制御器４０４は、前記ＥＵＤＣＨのためのパケットデータ伝送フォーマットを表すＥ−ＴＦＲＩを決定する。このパケットデータ伝送フォーマットは、スケジューリング割当部４０２で許容する最大データレートによって決定される。そして、このＥＵＤＣＨ伝送制御器４０４は、前記バッファー状態情報、ＣＳＩ、及び前記Ｅ−ＴＦＲＩなどを含むＥＵ−ＤＰＣＣＨのデータを生成して乗算器４０８に入力する。
【００２９】
ＤＰＤＣＨのデータは、拡散器(spreader)４２２においてＤＰＤＣＨに割り当てられたＯＶＳＦ(Orthogonal Variable Spreading Factor)コードを用いてチップレートで拡散され、利得調整器(gain adjuster)４２４でチャネル利得とかけられた後に、合算器４２６に入力される。このＥＵ−ＤＰＣＣＨのデータは、拡散器４０８でＥＵ−ＤＰＣＣＨに割り当てられたＯＶＳＦコードを用いてチップレートで拡散され、利得調整器４１０でチャネル利得とかけられた後に、合算器４２６に入力される。該合算器４２６は、前記利得調整器４２４，４１０の出力データを合算した後に、これをＩチャネルに割り当てるために合算器４２０に入力する。
【００３０】
ＥＵＤＣＨパケット伝送器４０６は、前記パケットデータ伝送フォーマットにより指定された量だけのパケットデータを、前記ＥＵＤＣＨデータバッファー４００から読み出して前記パケットデータ伝送フォーマットにしだかってチャネルコーディングを遂行することによって、ＥＵ−ＤＰＤＣＨデータを生成する。このＥＵ−ＤＰＤＣＨデータに対して、変調マッピング器(Modulation Mapper)４１２は、ＢＰＳＫ、ＱＰＳＫまたは８ＰＳＫで変調を遂行し、ＥＵ−ＤＰＤＣＨ変調シンボルストリームを出力する。これらの変調シンボルは、ＢＰＳＫが使用される場合には実数値を持つが、ＱＰＳＫや８ＰＳＫが使用される場合には複素値を持つ。下記では、前記ＥＵ−ＤＰＤＣＨに対してＱＰＳＫ、８ＰＳＫを使用する場合について説明する。
【００３１】
変調マッピング器４１２は、前記ＥＵ−ＤＰＤＣＨデータを複素数シンボルストリームに変換した後に、拡散器４１４へ伝達する。該拡散器４１４は、この変調シンボルストリームを、ＥＵ−ＤＰＤＣＨに割り当てられたＯＶＳＦコードによりチップレートで拡散する。この拡散器４１４の出力は、利得調整器４１８でチャネル利得とかけられた後に、合算器に入力される。
【００３２】
前記ＤＰＤＣＨの制御情報を表すＤＰＣＣＨデータは、拡散器４２８でＤＰＣＣＨに割り当てられたＯＶＳＦコードを用いてチップレートで拡散され、利得調整器４３０でチャネル利得とかけられる。この利得調整器４３０の出力データは、合算器４３６に入力される。また、ＨＳＤＰＡサービスのための制御情報を含むＨＳ-ＤＰＣＣＨデータは、拡散器４３２でＨＳ-ＤＰＣＣＨに割り当てられたＯＶＳＦコードを用いてチップレートで拡散され、利得調整器４３４でチャネル利得とかけられた後に、前記合算器４３６に入力される。該合算器４３６は、利得調整器４３０，４３４の出力データを合算した後に、Ｑチャネルに割り当てるために位相変換器(Phase adjuster)４３８に入力する。この位相変調器４３８は、前記合算器４３６の出力データに位相変化量ｊをかけた後に、前記合算器４２０に伝達する。
【００３３】
この合算器４２０は、前記合算器４２６の出力に、前記利得調整器４１８と前記位相変換器４３８の出力とを合算して生成した複素シンボルストリームを、スクランブラー(scrambler)４４２に伝達する。該スクランブラー４４２は、この複素シンボルストリームをスクランブリングコードを用いてスクランブリングする。このスクランブリングされた複素シンボルストリームは、パルス形成器(Pulse Shaping Filter)４４４でパルス形態に変換された後に、ＲＦ(Radio Frequency)ユニット４４６を経てアンテナ４４８からＮｏｄｅ Ｂに伝達される。
【００３４】
図５Ａは、ＥＵＤＣＨスケジューリング割当情報を伝送するためのスケジューリング制御チャネル(Scheduling Control Channel：ＥＵ−ＳＣＨＣＣＨ)の構造を示す図であり、図５Ｂは、スケジューリング制御チャネル送信器の構造を示す図である。このスケジューリング制御チャネルは、一つのＯＶＳＦコードを使って、スケジューリング許容／解除メッセージ(Scheduling Grant／Release Message)と許容された最大データレート(allowed max data rate)とを含むスケジューリング割当情報５００を複数個のＵＥに伝送する。このスケジューリング許容／解除メッセージは、前記ＥＵＤＣＨパケットデータが伝送されるか否かを表すものである。また、前記スケジューリング割当情報５００は、前記スケジューリング許容／解除メッセージと前記許容された最大データレートが適用されるＵＥを表すＵＥ識別子(UE ID)を含む。
【００３５】
このスケジューリング割当情報５００を含むＥＵ−ＳＣＨＣＣＨデータは、直／並列変換器５１０で並列シンボルストリームに変換された後に、変調マッピング器５１２に伝えられる。該変調マッピング器５１２は、これらのシンボルストリームをＩ、Ｑストリームに変換した後に、拡散器５１４，５１６にそれぞれ伝達する。これらの拡散器５１４，５１６は、前記Ｉ、ＱストリームをＥＵ−ＳＣＨＣＣＨに割り当てられたＯＶＳＦコードによりチップレートで拡散する。この拡散器５１６から伝えられたＱストリームは、位相変換器５１８で位相変化量ｊとかけられた後に、合算器５２０に伝えられる。該合算器５２０は、利得調整器５１４と位相変換器５１８の出力を合算して生成した複素シンボルストリームを、スクランブラー５２２に伝達する。該スクランブラー５２２は、この複素シンボルストリームをスクランブリングコードを用いてスクランブリングする。このスクランブリングされた複素シンボルストリームは、パルス形成器５２４でパルス形態に変換された後に、ＲＦユニット５２６を経てアンテナ５２８からＵＥに伝えられる。
【００３６】
図６は、典型的なＥＵＤＣＨシステムにおいて、ＵＥからＮｏｄｅ Ｂにバッファー状態情報とＣＳＩを連続して伝送し、このＮｏｄｅ Ｂは、前記ＵＥにスケジューリング割当情報を伝送する動作を示している。このＵＥは、Ｎｏｄｅ Ｂからスケジューリング割当情報を受信すべく、バッファー状態情報とＣＳＩを一定の時間(スケジューリング区間：Ｔsch_int)ごとに周期的に伝送する。
【００３７】
図６を参照すると、６００時点で、ＵＥのＥＵＤＣＨデータバッファーに、Ｎｏｄｅ Ｂに伝送すべきパケットデータが格納(生成)される。このＵＥは、６０２区間で、前記データバッファーのデータ量を表すバッファー状態情報と上りリンクの送信電力及び電力マージンを表すＣＳＩとをＮｏｄｅ Ｂに伝送する。このＮｏｄｅ Ｂは、前記バッファー状態情報とＣＳＩに基づいて、前記ＵＥに割り当てる最大データレートを決定し、この決定された最大データレートをスケジューリング割当情報に含めて６１０区間で前記ＵＥに通報する。
【００３８】
ＥＵＤＣＨデータバッファーに格納されているパケットデータを、一度でＮｏｄｅ Ｂに全て伝送不可能である場合にＵＥは、Ｎｏｄｅ Ｂにスケジューリング割当を継続して要求すべく、６０２区間ないし６０６区間に示すように、バッファー状態情報とＣＳＩを、スケジューリング区間(Ｔsch_int)間隔で連続して伝送する。この６０６時点の後にはＥＵＤＣＨデータバッファーに格納されているパケットデータを完全に伝送したので、ＵＥはバッファー状態情報とＣＳＩの伝送を中断する。このときに、Ｎｏｄｅ Ｂは、たとえＵＥからバッファー状態情報とＣＳＩを受信しても、ＲＯＴ条件が合わないと、６１２区間に示すように、スケジューリング割当情報を伝送しない。
【００３９】
毎スケジューリング区間ごとにバッファー状態情報とＣＳＩを伝送すると、上りリンクオーバーヘッドを大幅に増加させ、上りリンクトラヒック容量を減少させることにつながるので、本発明の好ましい実施形態では、バッファー状態情報とＣＳＩに対してそれぞれ個別的に設定された伝送周期を使用する。
【００４０】
ＵＥからバッファー状態情報とＣＳＩが入力されない区間において、Ｎｏｄｅ Ｂは、ＵＥから受信したＥ−ＴＦＲＩ及びＵＥに伝送した下りリンク電力制御(Transmit Power Control：ＴＰＣ)命令を参照して、このＵＥのバッファー状態情報とＣＳＩを推定する。このＴＰＣ命令は、ＵＥの送信電力の増加／減少を指示するので、Ｎｏｄｅ Ｂは、ＵＥから最終報告されたＣＳＩにより計算された送信電力に、このＵＥにＴＰＣ命令を伝送した回数にしたがって所定の増加／減少単位値を加算することによって、ＵＥの現在送信電力を推定する。また、Ｎｏｄｅ Ｂは、ＵＥから最終報告されたバッファー状態情報により計算されたデータ量から、このＵＥから受信したＥ−ＴＦＲＩによるデータ量を減算することで、ＵＥの現在バッファー状態を推定する。
【００４１】
ここで、Ｅ−ＴＦＲＩは、ＥＵＤＣＨデータを受信する上で必須とされる極めて重要な情報であるので、通常、ＴＰＣ命令よりも低い受信エラーレートを持つように転送される。したがって、Ｎｏｄｅ ＢによるＵＥのバッファー状態情報推定値は、送信電力推定値に比べて高い信頼度を持つ。したがって、バッファー状態伝送周期は、ＣＳＩ伝送周期よりも長くなる。
【００４２】
図７は、本発明の実施形態によってＵＥから伝送するバッファー状態情報とＣＳＩとを含むコードブロックを示す図である。図７に示すように、バッファー状態情報とＣＳＩは一つのスケジューリング区間Ｔsch_intで伝送される。ここで、一つのスケジューリング区間は１０ｍｓである。ＣＳＩは、一定の周期単位に伝送されるが、バッファー状態情報は、ＵＥのＥＵＤＣＨデータバッファーに新規のデータが発生する場合にのみＮｏｄｅ Ｂに伝送される。すなわち、バッファー状態情報は、周期単位に伝送するのではなく、前記データバッファーに新規のイベントが発生した場合にのみ伝送する。したがって、ＵＥは、前記バッファー状態情報とＣＳＩを、異なるチャネルコーディングチェーン(Channel Coding Chain)を経てチャネル符号化する。
【００４３】
このときに、前記バッファー状態情報は、ＣＲＣ(Cyclic Redundancy Check)が付加された後にチャネル符号化され、ＣＳＩは、ＣＲＣ付加なしでチャネル符号化される。したがって、Ｎｏｄｅ Ｂは、ＣＲＣチェックを通じてバッファー状態情報が受信されたことを認識する。ＣＳＩは、バッファー状態情報の後段に位置して伝送されるので、このＣＳＩの受信は、前記バッファー状態情報の受信されたか否かによって確認することができる。一方、このＣＲＣは、バッファー状態情報とＣＳＩに共通して適用されてもいい。
【００４４】
本発明の好ましい実施形態において、ＵＥは下記のように動作する。
１．ＥＵＤＣＨデータバッファーに格納されたパケットデータの量が、スケジューリングのための所定のしきい値以上であれば、ＵＥは、Ｎｏｄｅ Ｂにバッファー状態情報及びＣＳＩを伝送し始める。
【００４５】
２．ＵＥは、バッファー状態情報及びＣＳＩ伝送開始の後に、あらかじめ設定された伝送周期(ＲＮＣがＵＥへ通報した伝送周期)にしたがってバッファー状態情報とＣＳＩを繰り返し伝送する。ところが、バッファー状態情報は、前記データバッファーに新規のデータが発生した場合にのみＮｏｄｅ Ｂに伝送する。
【００４６】
３．ＵＥは、バッファー状態情報とＣＳＩを伝送した後に、Ｎｏｄｅ Ｂからスケジューリング割当情報が受信されたか否かを確認すべくＥＵ−ＳＣＨＣＣＨをチェックする。
【００４７】
４．ＥＵＤＣＨデータバッファーのパケットデータ量が、しきい値未満と減少すれば、ＵＥは、バッファー状態情報及びＣＳＩ伝送を中断する。また、Ｎｏｄｅ Ｂから、このＮｏｄｅ Ｂ制御スケジューリングが中断されたことを表すスケジューリング解除メッセージが伝えられる場合にも、バッファー状態情報及びＣＳＩ伝送を中断する。
【００４８】
また、Ｎｏｄｅ Ｂは下記のように動作する。
１．Ｎｏｄｅ Ｂは、ＵＥからバッファー状態情報が伝えられるか否かを判断するために、ＥＵ−ＤＰＣＣＨのＣＲＣチェックを継続して遂行する。このＣＲＣチェックにより、あるスケジューリング区間で前記バッファー状態情報を検出すれば、このスケジューリング区間のバッファー状態情報の後段でＣＳＩを受信する。
【００４９】
２．Ｎｏｄｅ Ｂは、バッファー状態情報とＣＳＩを初めて受信すれば、あらかじめ設定された受信周期(ＲＮＣがＮｏｄｅ Ｂへ通報した受信周期)にしたがって、指定されたスケジューリング区間でＣＳＩを受信する。また、Ｎｏｄｅ Ｂは、毎スケジューリング区間ごとにバッファー状態情報の受信されたか否かを判断するために、ＣＲＣチェックを遂行し続ける。
【００５０】
３．Ｎｏｄｅ Ｂは、ＵＥのＥＵＤＣＨデータバッファーに格納されているパケットデータの量を推定し、この推定値が所定のしきい値以下であると判断される場合には、前記バッファー状態情報とＣＳＩの受信を中断する。
【００５１】
４．他の場合には、Ｎｏｄｅ Ｂは、バッファー状態情報とＣＳＩ伝送を中断させるために、該当のＵＥへスケジューリング解除メッセージを送る。
【００５２】
以下、本発明によって、バッファー状態情報とＣＳＩを、ＵＥからＮｏｄｅ Ｂに報告るための実施形態について説明する。
第１の実施形態
図８は、本発明の第１の実施形態に従うＵＥとＮｏｄｅ Ｂ間のスケジューリング割当のためのＥＵ−ＤＰＣＣＨシグナリングを示している。ここで、Ｔsch_intは、スケジューリング区間を表し、各スケジューリング区間は、バッファー状態情報を伝送するための領域とＣＳＩを伝送するための領域とを含む。ＣＮＴsch_intは、スケジューリング区間を識別するスケジューリング区間番号であって、図８では、スケジューリング区間１０乃至スケジューリング区間３０が示されている。ＴCSIは、ＣＳＩの伝送周期を意味し、Ｔbs，reは、バッファー状態情報の再伝送周期を意味する。
【００５３】
ＣＮＴsch_int＝１０のスケジューリング区間８００で、ＵＥは、Ｎｏｄｅ Ｂに伝送するパケットデータの量が、スケジューリングのためのしきい値以上であるのを認知すると、このＮｏｄｅ Ｂにバッファー状態情報とＣＳＩを最初に伝送する。すると、このＮｏｄｅ Ｂは８１４区間で、前記８００区間で受信したバッファー状態情報とＣＳＩを用いて生成したスケジューリング割当情報を、前記ＵＥに伝送する。このときに、Ｎｏｄｅ Ｂは、ＲＯＴを考慮して前記スケジューリング割当情報を決定する。
【００５４】
スケジューリング区間１４(８０２)で、ＵＥは、ＣＳＩのみをＮｏｄｅ Ｂに伝送する。ここで、ＣＳＩの伝送周期は、スケジューリング区間長さの４倍の長さとなるので、スケジューリング区間番号１０、１４、１８、２２、２６に対応する区間８００，８０２，８０６，８０８，８１２で、ＵＥはＣＳＩを前記Ｎｏｄｅ Ｂに伝送している。
【００５５】
スケジューリング区間１５(８０４)が始まる直前に、ＵＥのＥＵＤＣＨデータバッファーに、Ｎｏｄｅ Ｂへ伝送するパケットデータが発生すれば、このＵＥは、スケジューリング区間１５(８０４)でバッファー状態情報をＮｏｄｅ Ｂへ伝達する。
【００５６】
このようにスケジューリング区間１５(８０４)でバッファー状態情報を伝送したＵＥは、前記Ｎｏｄｅ Ｂからのスケジューリング割当情報の受信を待つ。ところが、ＵＥは、Ｎｏｄｅ Ｂから一定時間が経過するまでにスケジューリング割当情報を受信しなかった場合、このＮｏｄｅ Ｂがスケジューリング割当情報を伝送しない理由を確認することができない。例えば、このＮｏｄｅ Ｂが、スケジューリング割当情報を伝送しない理由には、ＲＯＴを考慮の上、このＵＥに割り当てる無線資源が充分でない場合と、スケジューリング区間１５(８０４)のバッファー状態を受信していない場合がある。したがって、このＵＥは、スケジューリング区間１５(８０４)のバッファー状態情報を伝送してから一定時間が経過しても、Ｎｏｄｅ Ｂからスケジューリング割当情報が受信されない場合、以前バッファー状態情報を伝送してから予め設定された時間(バッファー状態再転送周期Ｔbs,re)が経過すれば、バッファー状態情報を前記Ｎｏｄｅ Ｂに再び伝送する。このバッファー状態再転送周期は、スケジューリング区間長さの９倍の長さをもつので、図８では、スケジューリング伝送番号２４(８１０)で、ＵＥがＮｏｄｅ Ｂにバッファー状態情報を再伝送している。たとえ、本明細書では再転送という単語を使用しているが、この再転送されるバッファー状態情報は、該当の区間８１０での測定されたデータバッファーのデータ量を意味することに留意すべきである。このバッファー状態再転送周期は、無線網制御部(ＲＮＣ)により設定されてＵＥに伝えられることができる。
【００５７】
Ｎｏｄｅ Ｂもまた、バッファー状態を受信してからバッファー状態再転送周期以内に必ずＵＥへスケジューリング割当情報を伝送する。したがって、ＵＥは、バッファー状態情報を伝送してからＮｏｄｅ Ｂからスケジューリング割当情報を受信できなければ、このＮｏｄｅ Ｂがバッファー状態を受信しなかったものと判断する。最初にバッファー状態を伝送した場合には、バッファー状態再転送周期が経過するまでスケジューリング割当情報が受信されないと、ＵＥは、Ｎｏｄｅ Ｂが最初のバッファー状態情報及びＣＳＩを受信しなかったと判断し、バッファー状態再転送周期で、バッファー状態情報とＣＳＩを共に伝送する。８１６区間で、Ｎｏｄｅ Ｂは、スケジューリング区間２４(８１０)のバッファー状態情報に基づいて決定されたスケジューリング割当情報を伝送する。
【００５８】
このＮｏｄｅ Ｂは、８１８区間で、前記ＵＥが伝送するパケットデータの量を推定し、この推定されたパケットデータの量が、しきい値未満と判断されれば、このＵＥにスケジューリング解除メッセージを伝送する。このスケジューリング解除メッセージを受信したＵＥは、前記Ｎｏｄｅ Ｂへのバッファー状態情報とＣＳＩの伝送を中断する。図示せぬが、スケジューリング解除メッセージを使用せず、ＵＥは、ＥＵＤＣＨデータバッファーに待機しているパケットデータの量が、前記しきい値よりも小さい場合に、Ｎｏｄｅ Ｂへのバッファー状態情報とＣＳＩ伝送を中断することも可能である。
【００５９】
図９は、本発明の第１の実施形態に従うＵＥのＥＵＤＣＨ伝送制御器９００の構造を示しいる。図９を参照すれば、伝送開始及び終了決定器９０２は、バッファー状態情報及びＣＳＩ伝送開始時点と終了時点を決定する。この開始時点は、入力されたバッファー状態情報を予め定められるしきい値と比較することによって決定される。このバッファー状態情報(ＥＵＤＣＨデータバッファーに格納されたパケットデータの量)が、前記しきい値を超過する場合、伝送開始及び終了決定器９０２は、バッファー状態情報及びＣＳＩの伝送開始時点に到達したものと決定し、開始信号を出力する。このバッファー状態情報及びＣＳＩの伝送終了時点は、Ｎｏｄｅ Ｂからスケジューリング解除メッセージを受信する時点となる。
【００６０】
しかしながら、バッファー状態情報が前記しきい値以下になると、伝送開始及び終了決定器９０２は、バッファー状態情報及びＣＳＩ伝送終了時点に到達したと決定し、終了信号を出力する。
【００６１】
伝送時点決定器９０４は、伝送開始及び終了決定器９０２から開始信号が出力されれば、バッファー状態情報及びＣＳＩの伝送時点を決定する。このバッファー状態情報及びＣＳＩの伝送時点は、図８に示したように、ＣＮＴsch_intで表される。伝送時点決定器９０４は、バッファー状態情報とＣＳＩの伝送時点に対応するスケジューリング区間で、バッファー状態伝送スイッチ９０６とＣＳＩ伝送スイッチ９１２をオンにする。
【００６２】
より詳細に説明すれば、伝送時点決定器９０４は、ＣＳＩの伝送開始時点で最初にＣＳＩを伝送した後に、ＴCSIにより決定されたスケジューリング区間でＣＳＩを周期的Ｉ伝送するために、ＣＳＩ伝送スイッチ９１２をオンにする。伝送時点決定器９０４は、新規データ発生指示子(new data arrival indication)がＥＵＤＣＨデータバッファーに新規のデータが発生したものを表すと、バッファー状態伝送スイッチ９０６をオンさせる。伝送時点決定器９０４は、スケジューリング割当情報受信指示子(Scheduling Assignment Receive Indication)とバッファー状態再伝送周期(Ｔbs,re)を用いて、バッファー状態伝送スイッチ９０６とＣＳＩ伝送スイッチ９１２を制御する。すなわち、以前バッファー状態が転送されてから前記バッファー状態再伝送周期が満了するまで、スケジューリング割当情報受信指示子から、スケジューリング割当情報が受信されたとの指示がないと、バッファー状態伝送スイッチ９０６をオンさせる。また、前記最初のバッファー状態をＮｏｄｅ Ｂに伝送してからバッファー状態再転送周期が満了するまで、スケジューリング割当情報受信指示子が、このスケジューリング割当情報が受信されたことを指示しないと、バッファー状態伝送スイッチ９０６とＣＳＩ伝送スイッチ９１２を同時にオンさせる。
【００６３】
バッファー状態伝送スイッチ９０６がオンになると、バッファー状態情報がＣＲＣ付加部９０８に入力される。このバッファー状態情報は、ＣＲＣ付加部９０８でＣＲＣが付加された後に、チャネルコーディング部９１０でチャネルコーディングされる。このチャネルコーディングされたバッファー状態情報は、多重化器９２２に入力される。ＣＳＩ伝送スイッチ９１２がオンになると、ＣＳＩは、チャネルコーディング部９１４でチャネルコーディングされた後に、多重化器９２２に入力される。ＥＵＤＣＨ伝送フォーマット(ＴＦ)決定器(９１６)は、Ｎｏｄｅ Ｂから送られてきたスケジューリング割当情報を用いて、ＥＵＤＣＨサービスのための伝送フォーマットを決定し、この決定された伝送フォーマットを表す伝送フォーマット識別子(Ｅ−ＴＦＲＩ)を生成する。この伝送フォーマット識別子(Ｅ−ＴＦＲＩ)は、ＣＲＣ付加部９１８でＣＲＣが付加された後に、チャネルコーディング部９２０でチャネルコーディングされる。このチャネルコーディングされた伝送フォーマット識別子は、多重化器９２２に入力される。この多重化器９２２は、前記符号化されたバッファー状態情報、ＣＳＩ、伝送フォーマット識別子を多重化してＥＵ−ＤＰＣＣＨを介して伝送する。一方、ＥＵＤＣＨパケット送信器９２４は、ＥＵＤＣＨ伝送フォーマット決定器９１６で決定された伝送フォーマットを用いて、ＥＵＤＣＨデータバッファーに格納されているパケットデータを伝送する。
【００６４】
図１０は、本発明の第１の実施形態に従うＵＥ送信端の動作を示している。図１０を参照すれば、ステップＳ１０００で、ＵＥは、バッファー状態情報、すなわちＥＵＤＣＨデータバッファーに格納されたパケットデータの量をモニタリング(monitoring)する。ステップＳ１００２でＵＥは、ＥＵＤＣＨデータバッファーに格納されているパケットデータの量が、所定のしきい値以上であるか否かを判断する。この判断結果、パケットデータの量が前記しきい値以上であれば、ステップＳ１００６に移動し、この判断結果、ＥＵＤＣＨデータバッファーに格納されているパケットデータ量が、前記しきい値よりも小さければ、ステップＳ１００４に移行する。このステップＳ１００４でＵＥは、次のスケジューリング区間になるまで待機した後に、前記ＥＵＤＣＨデータバッファーをモニタリングするためにステップＳ１０００に復帰する。
【００６５】
ステップＳ１００６で、ＵＥは、バッファー状態情報とＣＳＩを伝送し、ステップＳ１００８に移行する。このステップＳ１００８でＵＥは、次のスケジューリング区間まで待機した後に、ステップＳ１０１０で、ＥＵＤＣＨデータバッファーをモニタリングする。ステップＳ１０１２で、ＵＥは、バッファー状態情報とＣＳＩを伝送し続けるか否か判断する。この判断は、上述した如く、ＥＵＤＣＨデータバッファーに格納されているパケットデータの量としきい値とを比較することによってなされる。このパケットデータの量が相変らず前記しきい値以上であれば、ＵＥは、バッファー状態情報とＣＳＩを伝送し続けるためにステップＳ１０１４に移行し、このパケットデータの量が前記しきい値よりも小さくなった場合には、ＵＥは、バッファー状態情報とＣＳＩ伝送を中断するために、ステップＳ１０２４に移行する。ステップＳ１０２４で、ＵＥは逆方向パケット伝送サービスを続けるか否か判断する。この逆方向パケット伝送サービスを続けると判断されると、ステップＳ１０２６に移行して次のスケジューリング区間まで待機した後に、ステップＳ１０００に復帰する。一方、前記逆方向パケット伝送サービスを続けないと判断されると、動作を終了する。
【００６６】
また、ステップＳ１０１４で、ＵＥは、ＥＵＤＣＨデータバッファーに新規のデータが発生したか否かを判断する。この判断結果、ＥＵＤＣＨデータバッファーに新規のデータが発生した場合にはステップＳ１０１６に移行し、ＥＵＤＣＨデータバッファーに新規のデータが発生しなかった場合にはステップＳ１０１８に移行する。このステップＳ１０１８で、以前バッファー状態情報を伝送してから予め定められるバッファー状態再転送周期(Ｔbs,re)以内に、スケジューリング割当情報がＮｏｄｅ Ｂから送られてきた否か判断する。この判断結果、バッファー状態再転送周期以内に、スケジューリング割当情報が受信された場合には、ステップＳ１０２０に移行し、バッファー状態再転送周期以内に、スケジューリング割当情報が受信されなかった場合には、ステップＳ１０１６に移行する。このステップＳ１０１６で、ＵＥは、バッファー状態を伝送する。このステップＳ１０１６では、図示しなかったが、ステップＳ１０１８で最初のバッファー状態情報を伝送してから、バッファー状態再転送周期以内にスケジューリング割当情報が受信されなかった場合、ＵＥは、バッファー状態情報と共にＣＳＩを伝送する。
【００６７】
ステップＳ１０２０で、ＵＥは、現在スケジューリング区間が、ＲＮＣから転送されたＣＳＩ伝送周期によるＣＳＩ伝送時点なのか判断する。この判断結果、現在スケジューリング区間が前記ＣＳＩ伝送時点であれば、ステップＳ１０２２に移行してＣＳＩを伝送した後に、ステップＳ１００８に復帰する。一方、現在スケジューリング区間が前記ＣＳＩ伝送時点でなければ、ステップＳ１００８に復帰する。
【００６８】
図１１は、本発明の第１の実施形態に従うＮｏｄｅ Ｂの受信装置を示すブロック図である。図１１を参照すれば、アンテナ１１００は、ＵＥが伝送したＲＦ信号を受信した後にＲＦ部１１０２に伝達する。このＲＦ部１１０２は、受信したＲＦ信号を基底帯域信号に転換した後に、パルス形成器(Pulse Shaping Filter)１１０４に伝達する。このパルス形成器１１０４は、受信した基底帯域信号をデジタル信号に変換した後に、デスクランブラー１１０６に伝達する。このデスクランブラー１１０６は、スクランブリングコードＣscrambleを用いて前記デジタル信号をデスクランブリングする。このデスクランブリングされた信号は、逆拡散部１１０８によりＯＶＳＦコードＣOVSFとかけられ、チャネル補償部１１１０を経て逆多重化器１１１２に伝えられる。この逆多重化器１１１２は、前記チャネル補償部１１１０から伝えられた信号を、符号化されたバッファー状態情報、ＣＳＩ、及びＥ−ＴＦＲＩに分離する。最初の時にはＣＳＩ受信スイッチ１１１４がオン(on)になっているため、前記バッファー状態情報とＣＳＩはそれぞれ、バッファー状態チャネルデコーディング部１１２２とＣＳＩチャネルデコーディング部１１２０に伝えられる。
【００６９】
また、符号化されたバッファー状態は、バッファー状態チャネルデコーディング部１１２２によりチャネルデコーディングされる。バッファー状態ＣＲＣ検査器(CRC Checker)１１２４は、前記バッファー状態に対してＣＲＣを検出する。このＣＲＣ検査器１１２４は、前記ＣＲＣ検出結果値を受信時点制御器１１３２に伝達する。この受信時点制御器１１３２は、前記ＣＲＣ検出結果値を用いて、ＵＥからバッファー状態が伝送されたか否かを判断する。このＣＲＣ検出結果値が成功(good)であれば、すなわち、ＵＥからバッファー状態が伝送されたと判断されると、受信時点制御器１１３２は、ＣＳＩ受信開始時点と判断し、ＣＳＩ受信スイッチ１１１８をオンにする。最初の八ファ状態情報が受信された場合に、ＣＳＩ受信時点制御器１１３２は、ＣＮＴsch_int、ＴCSI、及びしきい値(ＴＨＲＥＳbuffer)を用いてＣＳＩの受信時点を決定し、この決定されたＣＳＩ受信時点に対応するスケジューリング区間で、ＣＳＩ受信スイッチ１１１８をオンにする。
【００７０】
ＣＳＩチャネルデコーディング部１１２０は、前記符号化されたＣＳＩをチャネルデコーディングした後に、ＥＵＤＣＨスケジューラ１１２８に伝達する。このＥＵＤＣＨスケジューラ１１２８は、ＣＳＩチャネルデコーディング部１１２０から伝えられてきたＣＳＩと、バッファー状態ＣＲＣ検査器１１２４から伝えられてきたバッファー状態情報とを用いて、スケジューリング割当情報を生成する。このスケジューリング割当情報は、スケジューリング制御チャネル(ＥＵ−ＳＣＨＣＣＨ)を通して前記ＵＥに転送される。Ｅ−ＴＦＲＩチャネルデコーディング部１１１４は、逆多重化器１１１２から伝えられてきた符号化されたＥ−ＴＦＲＩを、チャネルデコーディングした後に、Ｅ−ＴＦＲＩ ＣＲＣ検査器１１１６に伝達する。このＥ−ＴＦＲＩ ＣＲＣ検査器１１１６は、Ｅ−ＴＦＲＩに対してＣＲＣ検査を遂行し、このＣＲＣ検査に成功すれば、このＥ−ＴＦＲＩをＥＵＤＣＨデータデコーディング部１１２６に提供する。このＥＵＤＣＨデータデコーディング部１１２６は、ＵＥからＥＵ−ＤＰＤＣＨを通して受信された符号化されたＥＵＤＣＨデータを、Ｅ−ＴＦＲＩを用いてデコーディングする。
【００７１】
ＵＥバッファー状態推定器１１３０は、前記Ｅ−ＴＦＲＩ ＣＲＣ検査器１１１６から出力されたＥ−ＴＦＲＩと、バッファー状態ＣＲＣ検査器１１２４から伝えられてきたバッファー状態とを用いて、ＵＥのバッファー状態を推定する。このバッファー状態推定値は、ＣＳＩ受信時点制御器１１３２に伝えられる。このＣＳＩ受信時点制御器１１３２は、前記バッファー状態推定値が前記しきい値よりも小さいと、受信終了時点と判断し、スケジューリング制御チャネル(ＥＵ−ＳＣＨＣＣＨ)送信機(図５ｂ)を制御して、ＵＥにスケジューリング解除メッセージを伝送する。
【００７２】
図１２は、本発明の第１の実施形態によってＮｏｄｅ Ｂでバッファー状態情報とＣＳＩを受信する動作を示すフローチャートである。図１２を参照すれば、ステップＳ１２００で、Ｎｏｄｅ Ｂは、ＵＥが伝送した符号化されたバッファー状態をチャネル復号化する。ステップＳ１２０２で、Ｎｏｄｅ Ｂは、バッファー状態に対するＣＲＣ検査を遂行した後に、ステップＳ１２０４に移行する。ステップＳ１２０４で、Ｎｏｄｅ Ｂは、前記ＣＲＣ検査結果に基づいて、現在スケジューリング区間で、ＵＥがバッファー状態を伝送したか否かを判断する。この判断結果、ＣＲＣ検査に成功したら、すなわち、現在スケジューリング区間で、ＵＥがバッファー状態を伝送した場合には、このバッファー状態情報をＥＵＤＣＨスケジューラに伝達した後に、ステップＳ１２０６に移行し、ＣＲＣ検査に失敗した場合には、ステップＳ１２０８に移行する。このステップＳ１２０８で、Ｎｏｄｅ Ｂは、次のスケジューリング区間まで待機した後に、ステップＳ１２００に復帰する。
【００７３】
ステップＳ１２０６で、Ｎｏｄｅ Ｂは、前記バッファー状態情報に続いて受信した符号化されたＣＳＩに対して、チャネル復号化を遂行してＣＳＩを検出し、この検出したＣＳＩを、ＥＵＤＣＨスケジューラに伝達した後に、ステップＳ１２１０で次のスケジューリング区間まで待機する。ステップＳ１２１２で、Ｎｏｄｅ Ｂは、ＵＥが伝送した符号化されたバッファー状態をチャネル復号化する。ステップＳ１２１４で、Ｎｏｄｅ Ｂは、前記チャネル復号化したバッファー状態に対するＣＲＣ検査を遂行した後に、ステップＳ１２１６に移行する。このＣＲＣ検査に成功すれば、前記復号化したバッファー状態は、ＥＵＤＣＨスケジューラに提供される。一方、ＣＲＣ検査に失敗すると、Ｎｏｄｅ Ｂは、ＣＳＩが受信されるか否かを確認するために、ステップＳ１２２０に進む。
【００７４】
ステップＳ１２１６で、Ｎｏｄｅ Ｂは、最も最近に受信したバッファー状態と受信データ量を用いて、ＵＥのバッファー状態を推定する。この受信データ量は、Ｅ−ＴＦＲＩから分かり、この最も最近に受信したバッファー状態情報から前記受信データ量を引いた余りが、ＵＥのバッファー状態推定値となる。ステップＳ１２１４でＣＲＣ検査に成功したため、前記最も最近に受信したバッファー状態は、ステップＳ１２１２でチャネル復号化したバッファー状態情報となる。
【００７５】
ステップＳ１２１８で、Ｎｏｄｅ Ｂは、前記バッファー状態推定値が前記しきい値以上であるか判断する。この判断結果、このバッファー状態推定値が、しきい値以上であれば、ステップＳ１２２０に移行する。一方、このバッファー状態推定値がしきい値よりも小さければ、ステップＳ１２２４に移行してＵＥにスケジューリング解除メッセージを伝送した後に、ステップＳ１２２６に移行する。このステップＳ１２２４を点線で表したのは、ステップＳ１２２４が選択的に遂行されるためである。もし、ステップＳ１２２４を遂行しない場合には、ステップＳ１２１８からステップＳ１２２６に移行する。このステップＳ１２２６で、Ｎｏｄｅ Ｂは、上りリンクパケット伝送サービスを続けるか否か判断する。この判断結果、上りリンクパケット伝送サービスを続けると判断されると、ステップＳ１２２８に移行して次のスケジューリング区間まで待機した後に、ステップＳ１２００に復帰し、一方、上りリンクパケット伝送サービスを中断すると判断されると、動作を終了する。
【００７６】
ステップＳ１２２０で、Ｎｏｄｅ Ｂは、現在スケジューリング区間が、ＲＮＣから伝えられたＣＳＩ受信周期によるＣＳＩ受信時点であるか判断する。ＣＳＩが現在スケジューリング区間で受信されたと判断されると、ステップＳ１２２２に移行し、Ｎｏｄｅ Ｂは、現在スケジューリング区間で符号化されたＣＳＩを受信してチャネル復号化処理を遂行した後に、ステップＳ１２１０に復帰する。一方、ＣＳＩが現在スケジューリング区間で受信されなかったと判断されると、ステップＳ１２１０に復帰する。前記復号化されたＣＳＩは、ＥＵＤＣＨスケジューラに入力される。
【００７７】
第２の実施形態
図１３は、本発明の第２の実施形態に従うＵＥとＮｏｄｅ Ｂ間のスケジューリング割当のためのＥＵ−ＤＰＣＣＨシグナリングを示している。ここで、Ｔsch_intは、スケジューリング区間を表し、各スケジューリング区間は、バッファー状態情報を伝送するための領域とＣＳＩを伝送するための領域とを含む。ＣＮＴsch_intは、スケジューリング区間番号を意味し、ＴCSIは、ＣＳＩの伝送周期を意味し、Ｔbufferは、バッファー状態情報の伝送周期を意味する。
【００７８】
ＣＮＴsch_int＝１０のスケジューリング区間１３００で、ＵＥは、Ｎｏｄｅ Ｂに伝送するパケットデータの量が、スケジューリングのためのしきい値以上であるのを認知すると、このＮｏｄｅ Ｂにバッファー状態情報とＣＳＩを最初に伝送する。すると、このＮｏｄｅ Ｂは１３１４区間で、１３００区間で受信したバッファー状態情報とＣＳＩを用いて生成したスケジューリング割当情報を、ＵＥに伝送する。このときに、Ｎｏｄｅ Ｂは、ＲＯＴを考慮して前記スケジューリング割当情報を決定する。
【００７９】
スケジューリング区間１４(１３０２)で、ＵＥは、ＣＳＩのみをＮｏｄｅ Ｂに伝送する。ここで、ＣＳＩの伝送周期は、スケジューリング区間長さの４倍の長さとなるので、スケジューリング区間番号１０、１４、１８、２２、２６に対応する区間１３００，１３０２，１３０６，１３０８，１３１２で、ＵＥはＣＳＩをＮｏｄｅ Ｂにそれぞれ伝送している。
【００８０】
スケジューリング区間１３と１６で、ＵＥのＥＵＤＣＨデータバッファーに、Ｎｏｄｅ Ｂへ伝送するパケットデータが新規に発生すると、このＵＥは、最初のバッファー状態が伝送された１３００区間から予め設定されたバッファー状態伝送周期Ｔbufferに従う伝送時点で、バッファー状態を伝送する。すなわち、Ｎｏｄｅ Ｂに伝送するデータが新規に発生した場合に、ＵＥは、バッファー状態伝送周期に応じてバッファー状態を伝送する。しかしながら、前記バッファー状態伝送周期にしたがってバッファー状態を伝送すべき区間であっても、最近のバッファー状態伝送周期の間にＥＵＤＣＨデータバッファーに新規に発生したパケットデータがないと、バッファー状態情報を伝送しない。図１３では、スケジューリング区間１３と１６で、新規のデータが発生したので、ＵＥは、最初のバッファー状態が伝送されたスケジューリング区間１０から８区間だけ過ぎたスケジューリング区間１８(１３０６)でバッファー状態を伝送している。
【００８１】
このようにスケジューリング区間１８(１３０６)でバッファー状態情報を伝送したＵＥは、Ｎｏｄｅ Ｂからのスケジューリング割当情報の受信を待つ。ところが、ＵＥは、バッファー状態情報を伝送してから一つのバッファー状態伝送周期が経過するまでにＮｏｄｅ Ｂからスケジューリング割当情報を受信しなかった場合、前記バッファー状態伝送周期に従う次の伝送時点でバッファー状態をＮｏｄｅ Ｂに再伝送する。Ｎｏｄｅ Ｂは、バッファー状態を受信すると、バッファー状態再転送周期以内にＵＥへスケジューリング割当情報を伝送する。したがって、ＵＥは、バッファー状態情報を伝送してからＮｏｄｅ Ｂからスケジューリング割当情報を受信できなければ、このＮｏｄｅ Ｂがバッファー状態を受信しなかったものと判断する。図１３では、スケジューリング区間２６(１３１２)で、Ｎｏｄｅ Ｂにバッファー状態が再伝送されている。しかしながら、最初のバッファー状態を伝送してからバッファー状態伝送周期Ｔbufferが経過するまでにスケジューリング割当情報が受信されないと、ＵＥは、１３１２区間でバッファー状態情報と共にＣＳＩを伝送する。
【００８２】
このＮｏｄｅ Ｂは、１３１８区間で、ＵＥが伝送するパケットデータの量を推定し、この推定されたパケットデータの量が、しきい値未満と判断されれば、このＵＥにスケジューリング解除メッセージを伝送する。このスケジューリング解除メッセージを受信したＵＥは、Ｎｏｄｅ Ｂへのバッファー状態情報とＣＳＩの伝送を中断する。図示せぬが、スケジューリング解除メッセージを使用せず、ＵＥは、ＥＵＤＣＨデータバッファーに待機しているパケットデータの量が、前記しきい値よりも小さい場合に、Ｎｏｄｅ Ｂへのバッファー状態情報とＣＳＩの伝送を中断することも可能である。
【００８３】
図１４は、本発明の第２の実施形態に従うＵＥのＥＵＤＣＨ伝送制御器１４００の構造を示しいる。ここで、伝送開始及び終了決定器１４０２と伝送時点決定器１４０４以外の構成要素、すなわち、ＥＵＤＣＨ ＴＦ決定器１４１６、ＣＲＣ付加部１１０８，１４１８、チャネルコーディング部１１１０，１１１４，１１２０、多重化器１１２２及びＥＵＤＣＨパケット送信器１４２４の動作は、既に言及した図９の対応する構成要素の動作と同一なので、その詳細説明は省略される。したがって、下記では、図１４のＥＵＤＣＨ伝送制御器１４００と図９のＥＵＤＣＨ伝送制御器９００との機能上の相違についてのみ説明する。
【００８４】
図１４を参照すれば、伝送時点決定器１４０４は、伝送開始及び終了決定器１４０２で決定したバッファー状態情報及びＣＳＩの伝送開始時点以降のバッファー状態情報及びＣＳＩの伝送開始時点を決定する。図１３に示すように、伝送時点決定器１４０４は、バッファー状態情報とＣＳＩの伝送開始時点でバッファー状態伝送スイッチ１１０６とＣＳＩ伝送スイッチ１１１２をそれぞれオンにする。この伝送時点決定器１４０４は、ＣＳＩの伝送開始時点で最初のＣＳＩを伝送した後に、ＴCSIにより決定されたスケジューリング区間でＣＳＩを周期的に伝送するために、ＣＳＩ伝送スイッチ１１１２をオンにする。伝送時点決定器１４０４は、新規データ発生指示子(new data arrival indication)がＥＵＤＣＨデータバッファーに新規のデータが発生したものを表すと、バッファー状態伝送周期Ｔbufferに従う次のスケジューリング区間でバッファー状態伝送スイッチ１４０６をオンさせる。すなわち、新規データ発生指示子によりＥＵＤＣＨデータバッファーに新規のデータが発生したことが指示されてから初めて現れるバッファー状態伝送時点で、バッファー状態伝送スイッチ１１０６をオンさせる。
【００８５】
また、伝送時点決定器１４０４は、バッファー状態を伝送した後に、バッファー状態伝送周期の間に、スケジューリング割当情報受信指示子からスケジューリング割当情報が受信されたことが指示されないと、バッファー状態伝送スイッチ１１０６をオンさせる。もし、最初のバッファー状態をＮｏｄｅ Ｂに伝送した後に、スケジューリング割当情報がバッファー状態伝送周期の間に受信されなかったと指示されると、ＣＳＩ伝送スイッチ１１１２も同時にオンさせる。
【００８６】
図１５は、本発明の第２実施形態に従うＵＥ送信端の動作を示すフローチャートである。図１５を参照すれば、ステップＳ１５００で、ＵＥは、バッファー状態情報、すなわちＥＵＤＣＨデータバッファーに格納されたパケットデータの量をモニタリング(monitoring)する。ステップＳ１５０２でＵＥは、ＥＵＤＣＨデータバッファーに格納されているパケットデータの量が、所定のしきい値以上であるか否かを判断する。この判断結果、パケットデータの量が前記しきい値以上であれば、ステップＳ１５０６に移動し、一方、ＥＵＤＣＨデータバッファーに格納されているパケットデータ量が、前記しきい値よりも小さければ、ステップＳ１５０４に移行する。このステップＳ１５０４でＵＥは、次のスケジューリング区間になるまで待機した後に、ＥＵＤＣＨデータバッファーをモニタリングするためにステップＳ１５００に復帰する。
【００８７】
ステップＳ１５０６で、ＵＥは、バッファー状態情報とＣＳＩを最初に伝送し、ステップＳ１５０８に移行する。このステップＳ１５０８でＵＥは、次のスケジューリング区間まで待機した後に、ステップＳ１５１０で、ＥＵＤＣＨデータバッファーをモニタリングする。ステップＳ１５１２で、ＵＥは、バッファー状態情報とＣＳＩを伝送し続けるか否か判断する。この判断は、上述した如く、ＥＵＤＣＨデータバッファーに格納されているパケットデータの量としきい値とを比較することによってなされる。このパケットデータの量が相変らず前記しきい値以上であれば、ＵＥは、バッファー状態情報とＣＳＩを伝送し続けるためにステップＳ１５１４に移行し、このパケットデータの量が前記しきい値よりも小さくなった場合には、ＵＥは、バッファー状態情報とＣＳＩの伝送を中断するために、ステップＳ１５２８に移行する。ステップＳ１５２８で、ＵＥは逆方向パケット伝送サービスを続けるか否か判断する。この逆方向パケット伝送サービスを続けると判断されると、ステップＳ１５３０に移行して次のスケジューリング区間まで待機した後に、ステップＳ１５００に復帰する。一方、前記逆方向パケット伝送サービスを続けないと判断されると、動作を終了する。
【００８８】
また、ステップＳ１５１４で、ＵＥは、現在スケジューリング区間が、バッファー状態伝送周期Ｔbufferに従うバッファー状態伝送時点であるか判断する。この判断結果、現在スケジューリング区間が、バッファー状態伝送時点であれば、ステップＳ１５１６に移行し、現在スケジューリング区間が、バッファー状態伝送時点でなければ、ステップＳ１５２４に移行する。ステップＳ１５１６で、ＵＥは、ＥＵＤＣＨデータバッファーに新規のデータが発生したか否かを判断する。この判断結果、ＥＵＤＣＨデータバッファーに新規のデータが発生した場合には、ステップＳ１５１８に移行し、ＥＵＤＣＨデータバッファーに新規のデータが発生しなかった場合にはステップＳ１５２０に移行する。
【００８９】
ステップＳ１５２０で、ＵＥは、以前バッファー状態伝送時点でバッファー状態情報を伝送したか否かを判断する。この判断結果、以前バッファー状態伝送時点でバッファー状態情報を伝送した場合にはステップＳ１５２２に移行し、以前バッファー状態伝送時点でバッファー状態を伝送しなかった場合には、ステップＳ１５２４に移行する。このステップＳ１５２２で、ＵＥは、以前バッファー状態伝送時点の後にＮｏｄｅ Ｂからスケジューリング割当情報が受信されたか否かを判断する。この判断結果、スケジューリング割当情報が受信された場合には、ステップＳ１５２４に移行し、スケジューリング割当情報が受信されなかった場合には、ステップＳ１５１８に移行する。
【００９０】
このステップＳ１５１８で、ＵＥは、バッファー状態情報を伝送する。ステップＳ１５１８では、図示せぬが、以前に伝送したバッファー状態情報が最初のバッファー状態情報であれば、ＵＥは、バッファー状態情報と同時にＣＳＩを伝送する。ステップＳ１５２４で、ＵＥは、ＲＮＣから通報されたＣＳＩ伝送周期ＴCSIによって現在スケジューリング区間がＣＳＩ伝送時点であるか判断する。この判断結果、現在スケジューリング区間がＣＳＩ伝送時点であれば、ステップＳ１５２６に移行してＣＳＩを伝送した後に、ステップＳ１５０８に復帰する。一方、現在スケジューリング区間がＣＳＩ伝送時点でなければ、ステップＳ１５０８に復帰する。
【００９１】
図１６は、本発明の第２の実施形態に従うＮｏｄｅ Ｂの受信装置を示すブロック図である。図１６を参照すれば、アンテナ１６００は、ＵＥが伝送したＲＦ信号を受信した後に、ＲＦ部１６０２に伝達する。このＲＦ部１６０２は、受信したＲＦ信号を基底帯域信号に転換した後に、パルス形成器１６０４に伝達する。このパルス形成器１６０４は、受信した基底帯域信号をデジタル信号に変換した後に、デスクランブラ１６０６に伝達する。このデスクランブラ１６０６は、スクランブリングコードＣscrambleを用いて受信したデジタル信号をディスクランブリングする。このディスクランブリングされた信号は、逆拡散部１６０８によりＯＶＳＦコードＣOVSFとかけられ、チャネル補償部１６１０を経た後に、逆多重化器１６１２に伝えられる。この逆多重化器１６１２は、チャネル補償部１６１０から伝えられてきた信号を、符号化されたバッファー状態情報、ＣＳＩ、Ｅ−ＴＦＲＩに分離する。最初のうちにはＣＳＩ受信スイッチ１６１８とバッファー状態受信スイッチ１６３４がオンになっているため、前記符号化されたバッファー状態情報と符号化されたＣＳＩはそれぞれ、バッファー状態チャネルデコーディング部１６２２とＣＳＩチャネルデコーディング部１６２０に伝えられる。
【００９２】
この符号化されたバッファー状態情報は、前記バッファー状態チャネルデコーディング部１６２２によりチャネルデコーディングされる。バッファー状態ＣＲＣ検査器１６２４は、バッファー状態情報に対してＣＲＣを検出する。このＣＲＣ検査器１６２４は、そのＣＲＣ検出結果値を受信時点制御器１６３２に伝達する。前記受信時点制御器１６３２は、前記ＣＲＣ検出結果値に基づいて、ＵＥからバッファー状態が伝送されたか否を判断する。このＣＲＣ検出結果値が成功であれば、すなわち、ＵＥからバッファー状態情報が伝送されたと判断されれば、受信時点制御器１６３２は、ＣＳＩ受信開始時点と判断し、ＣＳＩ受信スイッチ１６１８をオンさせる。このバッファー状態が最初のバッファー状態であれば、受信時点制御器１６３２は、ＣＮＴsch_intとＴCSIを用いて、ＣＳＩの受信時点を決定し、この決定されたＣＳＩ受信時点に対応するスケジューリング区間でＣＳＩ受信スイッチ１６１８をオンさせる。
【００９３】
また、受信時点制御器１６３２は、ＣＮＴsch_intとＴbufferを用いてバッファー状態の受信時点を決定し、この決定されたバッファー状態受信時点に対応するスケジューリング区間で、バッファー状態受信スイッチ１６３４をオンさせる。もちろん、この決定されたバッファー状態受信時点でバッファー状態が常に受信されるのではない。すなわち、ＵＥのデータバッファーに新規のデータが発生しないか、あるいは、最近のバッファー状態伝送周期以内にＮｏｄｅ ＢがＵＥにスケジューリング割当情報を伝送した場合には、前記バッファー状態受信時点でバッファー状態は受信されない。
【００９４】
ＣＳＩチャネルデコーディング部１６２０は、前記符号化されたＣＳＩをチャネルデコーディングした後に、ＥＵＤＣＨスケジューラ１６２８に伝達する。このＥＵＤＣＨスケジューラ１６２８は、ＣＳＩチャネルデコーディング部１６２０から伝えられたＣＳＩとバッファー状態ＣＲＣ検査器１６２４から伝えられたバッファー状態を用いて、スケジューリング割当情報を生成する。Ｅ−ＴＦＲＩチャネルデコーディング部１６１４は、逆多重化器１６１２から伝えられた符号化されたＥ−ＴＦＲＩをチャネルデコーディングした後に、Ｅ−ＴＦＲＩ ＣＲＣ検査器１６１６に伝達する。Ｅ−ＴＦＲＩ ＣＲＣ検査器１６１６は、前記Ｅ−ＴＦＲＩに対してＣＲＣ検査を遂行し、このＣＲＣ検査に成功した場合には、このＥ−ＴＦＲＩをＥＵＤＣＨデータデコーディング部１６２６に伝達する。ＥＵＤＣＨデータデコーディング部１６２６は、ＵＥからＥＵ−ＤＰＤＣＨを通して受信された符号化されたＥＵＤＣＨデータを、Ｅ−ＴＦＲＩを用いてデコーディングする。
【００９５】
ＵＥバッファー状態推定器１６３０は、Ｅ−ＴＦＲＩ ＣＲＣ検査器１６１６から出力されたＥ−ＴＦＲＩとバッファー状態ＣＲＣ検査器１６２４から伝えられてきたバッファー状態情報を用いて、ＵＥのバッファー状態を推定する。このバッファー状態推定値は、受信時点制御器１６３２に伝えられる。この受信時点制御器１６３２は、前記バッファー状態推定値がしきい値よりも小さいと、受信終了時点と判断し、スケジューリング制御チャネル(ＥＵ−ＳＣＨＣＣＨ)送信機(図５ｂ)を制御してＵＥにスケジューリング解除メッセージを伝送する。
【００９６】
図１７は、本発明の第２の実施形態によってＮｏｄｅ Ｂでバッファー状態情報とＣＳＩを受信する動作を示すフローチャートである。図１７を参照すれば、ステップＳ１７００で、Ｎｏｄｅ Ｂは、ＵＥから送られてきた符号化されたバッファー状態情報をチャネル復号化する。ステップＳ１７０２で、Ｎｏｄｅ Ｂは、前記バッファー状態情報に対するＣＲＣ検査を遂行し、ステップＳ１７０４に移行する。ステップＳ１７０４で、Ｎｏｄｅ Ｂは、前記ＣＲＣ検査結果に基づいて、現在スケジューリング区間でＵＥがバッファー状態を伝送したか否かを判断する。この判断結果、ＣＲＣ検査に成功した場合には、そのバッファー状態情報をＥＵＤＣＨスケジューラに伝達した後に、ステップＳ１７０６に移行し、ＣＲＣ検査に失敗した場合にはステップＳ１７０８に移行する。ステップＳ１７０８で、Ｎｏｄｅ Ｂは、次のスケジューリング区間まで待機した後に、ステップＳ１７００に復帰する。
【００９７】
ステップＳ１７０６で、Ｎｏｄｅ Ｂは、前記バッファー状態に続いて受信した符号化されたＣＳＩに対してチャネル復号化を遂行してＣＳＩを検出し、この検出したＣＳＩをＥＵＤＣＨスケジューラに伝達した後に、ステップＳ１７１０で次のスケジューリング区間まで待機する。
【００９８】
ステップＳ１７１２で、Ｎｏｄｅ Ｂは、最も最近に受信したバッファー状態と受信データ量を用いて、ＵＥのバッファー状態を推定する。この受信データ量は、Ｅ−ＴＦＲＩから分かり、この受信データ量を、最も最近に受信したバッファー状態から引いた余りが、前記ＵＥのバッファー状態推定値となる。ステップＳ１７１４で、Ｎｏｄｅ Ｂは、バッファー状態推定値がしきい値以上であれば、ステップＳ１７１６に移行し、バッファー状態推定値がしきい値未満であれば、ステップＳ１７１８に移行してＵＥにスケジューリング解除メッセージを伝送した後に、ステップＳ１７２０に移行する。このときに、ステップＳ１７１８は、システム構成に応じて選択的に遂行される。ステップＳ１７２０で、Ｎｏｄｅ Ｂは、上りリンクパケット伝送サービスを続けるか否かを判断する。この判断結果、上りリンクパケット伝送サービスを続けると判断される場合には、ステップＳ１７２２に移行して次のスケジューリング区間まで待機した後に、ステップＳ１７００に復帰する。一方、上りリンクパケット伝送サービスを中断すると判断される場合には、動作を終了する。
【００９９】
ステップＳ１７１６で、Ｎｏｄｅ Ｂは、現在スケジューリング区間が、ＲＮＣから伝えらてきたバッファー状態受信周期に従うバッファー状態受信時点であるか判断する。この判断結果、現在スケジューリング区間がバッファー状態受信時点であれば、ステップＳ１７２４に移行し、現在スケジューリング区間がバッファー状態受信時点でなければ、ステップＳ１７２８に移行する。ステップＳ１７２４で、Ｎｏｄｅ Ｂは、現在スケジューリング区間で、符号化されたバッファー状態情報を受信してチャネル復号化処理を遂行した後に、ステップＳ１７２６に移行する。ステップＳ１７２６で、Ｎｏｄｅ Ｂは、前記バッファー状態情報に対するＣＲＣをチェックする。このＣＲＣ検査に成功すれば、前記バッファー状態情報はＥＵＤＣＨスケジューラに伝えられる。ステップＳ１７２８で、Ｎｏｄｅ Ｂは、現在スケジューリング区間が、ＲＮＣから伝えられてきたＣＳＩ伝送周期に従うＣＳＩ受信時点であるか判断する。この判断結果、現在スケジューリング区間がＣＳＩ受信時点であれば、ステップＳ１７３０に移行し、現在スケジューリング区間で、符号化されたＣＳＩを受信し、これに対してチャネル復号化処理を遂行した後に、ステップＳ１７１０に復帰する。一方、現在スケジューリング区間がＣＳＩ受信時点でなければ、ステップＳ１７１０に復帰する。この復号化されたＣＳＩは、ＥＵＤＣＨスケジューラに提供される。
【０１００】
第３の実施形態
本発明の第３の実施形態では、上りリンクシグナルリングにより上りリンク干渉量が増加するのを防ぐために、ＲＮＣが複数のＵＥのバッファー状態情報とＣＳＩの伝送時点を制御する。このＲＮＣは、各ＵＥごとに相互に異なる伝送時点(スケジューリング区間)でバッファー状態情報とＣＳＩを伝送するように制御する。ＵＥのバッファー状態情報及びＣＳＩ伝送時点はそれぞれ、下記の数学式（３）式及び数学式（４）式によって求められる。
【０１０１】
［数３］
(CNTsch_int − offsetbuffer) mod (Tbuffer/Tsch_int) = 0  ・・・（３）
【０１０２】
［数４］
(CNTsch_int − offsetCSI) mod (TCSI/Tsch_int) = 0  ・・・（４）
【０１０３】
ここで、ｍｏｄは、２つのオペランド間の除算による余りを求める演算子である。ＣＮＴsch_intは、スケジューリング区間を識別するスケジューリング区間番号である。offsetbufferは、ＥＵＤＣＨサービスを提供する複数のＵＥからのバッファー状態情報が同じ時点で伝送され、この時点でＮｏｄｅ Ｂの測定ＲＯＴが増加するのを防止するために、ＵＥ別に可能なかぎり相互に異なって設定される整数値である。各ＵＥは、自分に設定されたoffsetbufferによって、上記の数学式（３）式を満足する指定スケジューリング区間で、バッファー状態情報をＮｏｄｅ Ｂに伝送する。同様に、offsetCSIは、複数のＵＥからＣＳＩが同じ時点で伝送され、この時点でＮｏｄｅ Ｂの測定ＲＯＴが増加するのを防止するために、ＵＥ別に可能なかぎり相互に異なって設定される整数値である。各ＵＥは、自分に設定されたoffsetCSIによって、上記の数学式（４）式を満足する指定スケジューリング区間で、ＣＳＩをＮｏｄｅ Ｂに伝送する。offsetbufferとoffsetCSIは、相互に一致しても異なってもいい。
【０１０４】
第３の実施形態において、ＵＥは、ＥＵＤＣＨデータバッファーに待機中のパケットデータの量が所定のしきい値を超過しても、上記の数学式（３）式によって決定されるバッファー状態伝送時点でのみ、バッファー状態情報を伝送する。また、Ｎｏｄｅ Ｂは、上記の数学式（３）式によって決定されるバッファー状態受信時点でのみ、バッファー状態情報の受信されたか否かをチェックすることによって、Ｎｏｄｅ Ｂの限定された資源を複数のＵＥが共有して使用できるようにする。
【０１０５】
図１８は、本発明の第３の実施形態に従うＮｏｄｅ ＢとＵＥ間のスケジューリング割当のためのＥＵ−ＤＰＣＣＨシグナルリングについて示している。図１８を参照すると、ＵＥは、それぞれ０と設定されたoffsetbufferとoffsetCSIを持つ。バッファー状態伝送周期は、スケジューリング区間長さの６倍であるので、上記の数学式（３）式により、バッファー状態の伝送時点１８０２，１８０８，１８１４は、スケジューリング区間番号(CNTsch_int)１２，１８，２４となる。また、ＣＳＩ伝送周期は、スケジューリング区間長さの４倍であるので、上記の数学式（４）式により、ＣＳＩの伝送時点１８０４，１８０８，１８１２，１８２０は、スケジューリング区間番号(CNTsch_int)１４，１８，２２，２６となる。
【０１０６】
スケジューリング区間１０(１８００)で、Ｎｏｄｅ Ｂに伝送するパケットデータの量が、所定のしきい値を超過するが、スケジューリング区間１０はバッファー状態伝送時点でないので、ＵＥは、バッファー状態情報を伝送せずに待機し、スケジューリング区間１２(１８０２)でバッファー状態を伝送する。このときに、スケジューリング区間１２(１８０２)はＣＳＩ伝送時点ではないが、バッファー状態が最初に伝送されているので、ＵＥは、この最初のバッファー状態情報とともにＣＳＩを伝送する。その後に、ＵＥは、バッファー状態伝送時点ごとにバッファー状態を伝送し、ＣＳＩ伝送時点ごとにＣＳＩを伝送する。
【０１０７】
スケジューリング区間１６(１８０６)では、ＥＵＤＣＨデータバッファーに新規のパケットデータが発生するが、このスケジューリング区間１６(１８０６)はバッファー状態伝送時点でないので、ＵＥは、スケジューリング区間１８(１８０８)でバッファー状態を伝送する。
【０１０８】
一方、Ｎｏｄｅ Ｂは、１８１６区間で、１８０２区間でＵＥから伝送されたバッファー状態情報とＣＳＩを用いて、スケジューリング割当情報を生成し、この生成されたスケジューリング割当情報をこのＵＥに伝送する。このようにＵＥからバッファー状態を受信すると、Ｎｏｄｅ Ｂは、バッファー状態伝送周期以内に必ずＵＥにスケジューリング割当情報を伝送する。
【０１０９】
ＵＥは、毎バッファー状態伝送時点でバッファー状態を伝送した後に、Ｎｏｄｅ Ｂからスケジューリング割当情報を待機する。ところが、このＵＥは、伝送したバッファー状態情報をＮｏｄｅ Ｂが正常に受信したか確認することができない。したがって、ＵＥは、バッファー状態を伝送してからバッファー状態伝送周期が経過するまでに、前記スケジューリング割当情報が受信されないと、次のバッファー状態伝送時点でバッファー状態をＮｏｄｅ Ｂに再伝送する。図１８では、スケジューリング区間２４(１８１４)で、ＵＥは、以前バッファー状態伝送時点である１８０８区間でバッファー状態を伝送した後に、バッファー状態伝送周期が経過するまでにスケジューリング割当情報を受信しなかったことを認知し、Ｎｏｄｅ Ｂにバッファー状態を再伝送している。一方、ＵＥは、最初のバッファー状態を伝送してからバッファー状態伝送周期が経過するまでに、Ｎｏｄｅ Ｂからスケジューリング割当情報が受信されないと、バッファー状態情報とともにＣＳＩを伝送する。
【０１１０】
Ｎｏｄｅ Ｂは、スケジューリング区間２６(１８２０)で、ＵＥが伝送するパケットデータの量を推定し、この推定されたパケットデータの量がしきい値未満と判断されれば、このＵＥにスケジューリング解除メッセージを伝送する。このスケジューリング解除メッセージを受信したＵＥは、Ｎｏｄｅ Ｂへのバッファー状態情報とＣＳＩの伝送を中断する。また、スケジューリング解除メッセージを使用せずに、図示せぬが、ＵＥは、ＥＵＤＣＨデータバッファーに待機しているパケットデータの量がしきい値よりも小さい場合に、Ｎｏｄｅ Ｂへのバッファー状態情報とＣＳＩの伝送を中断することも可能である。
【０１１１】
図１９は、本発明の第３実施形態に従うＵＥのＥＵＤＣＨ伝送制御器１９００の構造を示すブロック図である。ここで、伝送開始及び終了決定器１９０２と伝送時点決定器１９０４以外の構成要素、すなわち、ＥＵＤＣＨTF決定器１９１６、ＣＲＣ付加部１９０８，１９１８、チャネルコーディング部１９１０，１９１４，１９２０、多重化器１９２２及びＥＵＤＣＨパケット送信器１９２４の動作は、既に言及した図９の対応する構成要素の動作と同一なので、その詳細説明は省略される。したがって、下記では、図１９のＥＵＤＣＨ伝送制御器１９００と図９のＥＵＤＣＨ伝送制御器９００との機能上の相違についてのみ説明する。
【０１１２】
図１９を参照すれば、伝送開始及び終了決定器１９０２は、バッファー状態情報及びＣＳＩの伝送開始時点と伝送終了時点を決定する。このバッファー状態とＣＳＩの伝送開始時点は、ＥＵＤＣＨデータバッファーのバッファー状態、バッファー状態伝送周期Ｔbuffer、バッファー状態伝送オフセットoffsetbuffer、バッファー状態しきい値を考慮して決定される。このバッファー状態が前記しきい値を超過した後に、最初のバッファー状態伝送時点がバッファー状態伝送開始時点となる。ＣＳＩ伝送開始時点は、このバッファー状態伝送開始時点と一致する。バッファー状態情報及びＣＳＩ伝送終了時点は、Ｎｏｄｅ Ｂからスケジューリング解除メッセージを受信する時点となるか、あるいは、バッファー状態が前記しきい値未満になる時点となる。
【０１１３】
伝送時点決定器１９０４は、伝送開始及び終了決定器１９０２で決定したバッファー状態情報及びＣＳＩの伝送開始時点の後に、前記バッファー状態情報及びＣＳＩ伝送時点を決定する。このバッファー状態情報及びＣＳＩ伝送時点は、図１８に示す通りである。伝送時点決定器１９０４は、バッファー状態情報とＣＳＩの伝送開始時点でバッファー状態伝送スイッチ１９０６とＣＳＩ伝送スイッチ１９１２をオンさせる。
【０１１４】
伝送時点決定器１９０４は、ＣＳＩ伝送開始時点でＣＳＩを伝送した後に、ＣＮＴsch_int、ＴCSI、及びoffsetCSIにより決定されたＣＳＩ伝送時点に対応するスケジューリング区間で、ＣＳＩを周期的に伝送するために、ＣＳＩ伝送スイッチ１９１２をオンさせる。伝送時点決定器１９０４は、新規データ発生指示子(new data arrival indication)が、ＥＵＤＣＨデータバッファーに新規のデータが発生したことを指示した後に、バッファー状態伝送時点に対応する最初のスケジューリング区間でバッファー状態を伝送するために、バッファー状態伝送スイッチ１９０６をオンさせる。このバッファー状態伝送周期は、ＣＮＴsch_int、Ｔbuffer、及びoffsetbufferにより決定される。
【０１１５】
また、伝送時点決定器１９０４は、スケジューリング割当情報受信指示子とバッファー状態伝送周期Ｔbufferを用いて、バッファー状態伝送スイッチ１９０６とＣＳＩ伝送スイッチ１９１２を制御する。前記新規に発生したパケットデータによりバッファー状態情報を伝送た後に、バッファー状態伝送周期が経過するうちに、スケジューリング割当情報受信指示子からスケジューリング割当情報が受信されたことが指示されないと、 伝送時点決定器１９０４は、次のバッファー状態伝送時点で、バッファー状態伝送スイッチ１９０６をオンさせる。また、最初のバッファー状態をＮｏｄｅ Ｂに伝送した後に、バッファー状態伝送周期が経過するうちに、スケジューリング割当情報受信指示子からスケジューリング割当情報が受信されたことが指示されないと、伝送時点決定器１９０４は、バッファー状態伝送スイッチ１９０６とＣＳＩ伝送スイッチ１９１２を同時にオンさせる。
【０１１６】
図２０は、本発明の第３の実施形態に従うＵＥ送信端の動作を示すフローチャートである。図２０を参照すれば、ステップＳ２０００で、ＵＥは、現在スケジューリング区間が上記の数学式（３）式によるバッファー状態伝送時点であるか判断する。この判断結果、現在スケジューリング区間がバッファー状態伝送時点であれば、ステップＳ２００２に移行し、現在スケジューリング区間がバッファー状態伝送時点でなければ、ステップＳ２００４に移行する。ステップＳ２００２で、ＵＥは、バッファー状態、すなわちＥＵＤＣＨデータバッファーに格納されたパケットデータの量をモニタリングする。ステップＳ２００６で、ＵＥは、ＥＵＤＣＨデータバッファーに格納されているパケットデータの量が所定のしきい値以上である判断する。この判断結果、パケットデータの量がしきい値以上であれば、ステップＳ２００８に移行し、パケットデータ量がしきい値未満であれば、ステップＳ２００４に移行する。ステップＳ２００４で、ＵＥは、次のスケジューリング区間まで待機した後に、ＥＵＤＣＨデータバッファーをモニタリングするためにステップＳ２０００に復帰する。
【０１１７】
ステップＳ２００８で、ＵＥは、バッファー状態情報とＣＳＩを最初に伝送し、ステップＳ２０１０に移行する。ステップＳ２０１０で、ＵＥは、次のスケジューリング区間まで待機した後に、ステップＳ２０１２で、ＥＵＤＣＨデータバッファーをモニタリングする。ステップＳ２０１４で、ＵＥは、バッファー状態情報とＣＳＩを伝送し続けるか否かを判断する。この判断は、上述した如く、ＥＵＤＣＨデータバッファーに格納されているパケットデータの量と予め定められる所定のしきい値とを比較することによってなされる。このパケットデータの量が相変らず前記しきい値以上であれば、ＵＥは、バッファー状態情報とＣＳＩを伝送し続けるためにステップＳ２０１６に移行し、パケットデータの量がしきい値よりも小さくなる場合には、ＵＥは、前記バッファー状態情報とＣＳＩ伝送を中断するためにステップＳ２０１８に移行する。ステップＳ２０１８で、ＵＥは、逆方向パケット伝送サービスを続けるか否かを判断する。逆方向パケット伝送サービスを続けると判断されると、ＵＥは、ステップＳ２０２０に移行して次のスケジューリング区間まで待機した後に、ステップＳ２０００に復帰する。一方、逆方向パケット伝送サービスを続けないと判断されると、動作を終了する。
【０１１８】
ステップＳ２０１６で、ＵＥは、現在スケジューリング区間がバッファー状態伝送周期に従うバッファー状態伝送時点であるか判断する。この判断結果、現在スケジューリング区間がバッファー状態伝送時点であれば、ステップＳ２０２２に移行し、現在スケジューリング区間がバッファー状態伝送時点でなければ、ステップＳ２０３０に移行する。ステップＳ２０２２で、ＵＥは、ＥＵＤＣＨデータバッファーに新規のデータが発生したか否か判断する。この判断結果、ＥＵＤＣＨデータバッファーに新規のデータが発生した場合にはステップＳ２０２８に移行し、ＥＵＤＣＨデータバッファーに新規のデータが発生しなかった場合にはステップＳ２０２４に移行する。
【０１１９】
ステップＳ２０２４で、ＵＥは、以前バッファー状態伝送時点でバッファー状態を伝送したか否かを判断する。この判断結果、以前バッファー状態伝送時点でバッファー状態情報を伝送した場合にはステップＳ２０２６に移行し、以前バッファー状態伝送時点でバッファー状態情報を伝送しなかった場合にはステップＳ２０３０に移行する。ステップＳ２０２６で、ＵＥは、以前バッファー状態伝送時点の後に、Ｎｏｄｅ Ｂからスケジューリング割当情報が受信されたか否か判断する。この判断結果、スケジューリング割当情報が受信された場合にはステップＳ２０３０に移行し、スケジューリング割当情報が受信されなかった場合にはステップＳ２０２８に移行する。
【０１２０】
ステップＳ２０２８で、ＵＥは、バッファー状態を伝送する。ステップＳ２０２８では、図示せぬが、以前に伝送したバッファー状態が最初のバッファー状態であれば、ＵＥは、バッファー状態と同時にＣＳＩを伝送する。ステップＳ２０３０で、ＵＥは、ＲＮＣから通報されたＣＳＩ伝送周期に基づいて、現在スケジューリング区間がＣＳＩ伝送時点であるか否か判断する。この判断結果、現在スケジューリング区間がＣＳＩ伝送時点であれば、ステップＳ２０３２に移行してＣＳＩを伝送した後に、ステップＳ２０１０に復帰する。一方、現在スケジューリング区間がＣＳＩ伝送時点でなければ、ステップＳ２０１０に復帰する。
【０１２１】
図２１は、本発明の第３実施形態に従うＮｏｄｅ Ｂの受信装置を示すブロック図である。図２１を参照すれば、アンテナ２１００は、ＵＥから伝送されたＲＦ信号を受信した後に、ＲＦ部２１０２に伝達する。このＲＦ部２１０２は、受信したＲＦ信号を基底帯域信号に転換した後に、パルス形成器２１０４に伝達する。このパルス形成器２１０４は、前記基底帯域信号をデジタル信号に変換してデスクランブラ２１０６に伝達する。デスクランブラ２１０６は、スクランブリングコードＣscrambleを用いて、受信したデジタル信号をディスクランブリングする。このディスクランブリングされた信号は、逆拡散部２１０８によりＯＶＳＦコードＣOVSFとかけられ、チャネル補償部２１１０を経て逆多重化器２１１２に伝えられる。この逆多重化器２１１２は、チャネル補償部２１１０から伝えられた信号を、符号化されたバッファー状態情報、ＣＳＩ、Ｅ−ＴＦＲＩに分離する。最初のうちにはＣＳＩ受信スイッチ２１１８とバッファー状態受信スイッチ２１３４はオンになっているので、この符号化されたバッファー状態と符号化されたＣＳＩは各々、バッファー状態チャネルデコーディング部２１２２とＣＳＩチャネルデコーディング部２１２０に伝えられる。
【０１２２】
前記符号化されたバッファー状態情報は、バッファー状態チャネルデコーディング部２１２２によりチャネルデコーディングされる。バッファー状態ＣＲＣ検査器２１２４は、このバッファー状態情報に対してＣＲＣを検出する。ＣＲＣ検査器２１２４は、前記ＣＲＣ検出結果値を受信時点制御器２１３２に伝達する。この受信時点制御器２１３２は、このＣＲＣ検出結果値に基づいて、ＵＥからバッファー状態情報が伝送されたか否か判断する。前記ＣＲＣ検出結果値が成功であれば、すなわち、ＵＥからバッファー状態が伝送されたと判断されると、受信時点制御器２１３２は、ＣＳＩ受信スイッチ２１１８をオンさせる。また、前記バッファー状態情報が最初のバッファー状態であれば、受信時点制御器２１３２は、ＣＮＴsch_int、offsetCSI、及びＴCSIを用いてＣＳＩの受信時点を決定し、この決定されたＣＳＩ受信時点に対応するスケジューリング区間で、ＣＳＩ受信スイッチ２１１８をオンさせる。
【０１２３】
また、受信時点制御器２１３２は、ＣＮＴsch_int、offsetbuffer、及びＴbufferを用いて、バッファー状態の受信時点を決定し、この決定されたバッファー状態受信時点に対応するスケジューリング区間で、バッファー状態受信スイッチ２１３４をオンさせる。もちろん、前記決定されたバッファー状態受信時点でバッファー状態情報が常に受信されるわけではない。すなわち、ＵＥのデータバッファーに新規のデータが発生しないか、あるいは、最近のバッファー状態伝送周期以内にＮｏｄｅ ＢがＵＥへスケジューリング割当情報を伝送した場合には、前記バッファー状態受信時点でバッファー状態は受信されない。
【０１２４】
ＣＳＩチャネルデコーディング部２１２０は、前記符号化されたＣＳＩをチャネルデコーディングした後に、ＥＵＤＣＨスケジューラ２１２８に伝達する。ＥＵＤＣＨスケジューラ２１２８は、ＣＳＩチャネルデコーディング部２１２０から伝えられてきたＣＳＩとバッファー状態ＣＲＣ検査器２１２４から伝えられてきたバッファー状態を用いて、スケジューリング割当情報を生成する。Ｅ−ＴＦＲＩチャネルデコーディング部２１１４は、逆多重化器２１１２から伝達された符号化されたＥ−ＴＦＲＩをチャネルデコーディングした後に、Ｅ−ＴＦＲＩ ＣＲＣ検査器２１１６に伝達する。
【０１２５】
Ｅ−ＴＦＲＩ ＣＲＣ検査器２１１６は、前記Ｅ−ＴＦＲＩに対してＣＲＣ検査を遂行し、このＣＲＣ検査に成功すれば、そのＥ−ＴＦＲＩをＥＵＤＣＨデータデコーディング部２１２６に伝達する。このＥＵＤＣＨデータデコーディング部２１２６は、ＵＥからＥＵ−ＤＰＤＣＨを通して受信された符号化されたＥＵＤＣＨデータを、Ｅ−ＴＦＲＩを用いてデコーディングする。
【０１２６】
ＵＥバッファー状態推定器２１３０は、Ｅ−ＴＦＲＩ ＣＲＣ検査器２１１６から出力されたＥ−ＴＦＲＩとバッファー状態ＣＲＣ検査器２１２４から伝えられたバッファー状態とを用いて、ＵＥのバッファー状態を推定する。このバッファー状態推定値は、受信時点制御器２１３２に伝えられる。受信時点制御器２１３２は、前記バッファー状態推定値がしきい値よりも小さければ、受信終了時点と判断し、スケジューリング制御チャネル(ＥＵ−ＳＣＨＣＣＨ)送信機(図５ｂ)を制御して、ＵＥにスケジューリング解除メッセージを伝送する。
【０１２７】
図２２は、本発明の第３の実施形態によってＮｏｄｅ Ｂでバッファー状態情報とＣＳＩを受信する動作を示すフローチャートである。図２２を参照すれば、ステップＳ２２００で、Ｎｏｄｅ Ｂは、現在スケジューリング区間がバッファー状態受信時点であるか否かを判断する。この判断結果、バッファー状態受信時点であれば、ステップＳ２２０２に移行し、バッファー状態受信時点でなければ、ステップＳ２２０４に移行する。ステップＳ２２０２で、Ｎｏｄｅ Ｂは、ＵＥが伝送した符号化されたバッファー状態情報をチャネル復号化する。ステップＳ２２０６で、Ｎｏｄｅ Ｂは、バッファー状態情報に対するＣＲＣ検査を遂行し、ステップＳ２２０８に移行する。ステップＳ２２０８で、前記ＣＲＣ検査結果に基づいて、現在スケジューリング区間で、ＵＥがバッファー状態を伝送したか否かを判断する。この判断結果、ＣＲＣ検査に成功した場合には、バッファー状態をＥＵＤＣＨスケジューラに伝達した後に、ステップＳ２２１０に移行し、ＣＲＣ検査に失敗した場合には、ステップＳ２２０４に移行する。ステップＳ２２０４で、Ｎｏｄｅ Ｂは、次のスケジューラ区間まで待機した後に、ステップＳ２２００に復帰する。
【０１２８】
ステップＳ２２１０で、Ｎｏｄｅ Ｂは、バッファー状態情報に続いて受信した符号化されたＣＳＩに対してチャネル復号化を遂行してＣＳＩを検出し、この検出したＣＳＩをＥＵＤＣＨスケジューラに伝達した後に、ステップＳ２２１２で次のスケジューリング区間まで待機する。
【０１２９】
ステップＳ２２１４で、Ｎｏｄｅ Ｂは、最も最近に受信したバッファー状態と受信データ量を用いて、ＵＥのバッファー状態を推定する。この受信データ量は、Ｅ−ＴＦＲＩから分かり、この受信データ量を、最も最近に受信したバッファー状態情報から引いた余りが、ＵＥのバッファー状態推定値となる。ステップＳ２２１６で、Ｎｏｄｅ Ｂは、前記バッファー状態推定値がしきい値以上の値を持つと、ステップＳ２２１８に移行し、前記バッファー状態推定値がしきい値未満であれば、ステップＳ２２２０に移行してＵＥにスケジューリング解除メッセージを伝送した後に、ステップＳ２２２２に移行する。ここで、ステップＳ２２２０は、システム構成に応じて選択的に遂行される。ステップＳ２２２２で、Ｎｏｄｅ Ｂは、上りリンクパケット伝送サービスを続けるか否かを判断する。この判断結果、上りリンクパケット伝送サービスを続けると判断されると、ステップＳ２２２４に移行して次のスケジューリング区間まで待機した後に、ステップＳ２２００に復帰する。一方、上りリンクパケット伝送サービスを中断すると判断されると、動作を終了する。
【０１３０】
ステップＳ２２１８で、Ｎｏｄｅ Ｂは、現在スケジューリング区間が数学式（３）式によるバッファー状態受信時点であるか否かを判断する。この判断結果、現在スケジューリング区間がバッファー状態受信時点であれば、ステップＳ２２２６に移行し、現在スケジューリング区間がバッファー状態受信時点でなければ、ステップＳ２２３０に移行する。ステップＳ２２２６で、Ｎｏｄｅ Ｂは、現在スケジューリング区間で、符号化されたバッファー状態を受信してチャネル復号化過処理を遂行し、ステップＳ２２２８に移行する。ステップＳ２２２８で、Ｎｏｄｅ Ｂは、前記バッファー状態情報に対するＣＲＣをチェックする。このＣＲＣ検査に成功すれば、そのバッファー状態情報はＥＵＤＣＨスケジューラに伝えられる。ステップＳ２２３０で、Ｎｏｄｅ Ｂは、現在スケジューリング区間が、数学式（４）式によるＣＳＩ受信時点であるか否かを判断する。この判断結果、現在スケジューリング区間がＣＳＩ受信時点であれば、ステップＳ２２３２に移行して現在スケジューリング区間で、符号化されたＣＳＩを受信し、これをチャネル復号化処理した後に、ステップＳ２２１２に復帰する。一方、現在スケジューリング区間がＣＳＩ受信時点でなければ、ステップＳ２２１２に復帰する。前記復号化されたＣＳＩは、ＥＵＤＣＨスケジューラに提供される。
【０１３１】
第４の実施形態
図２３は、本発明の第４の実施形態に従うバッファー状態情報とＣＳＩの伝送を示す図である。ここで、ＣＳＩは、一定の周期に定められたＣＳＩ伝送時点で伝送される。また、バッファー状態情報は、周期的に定められたバッファー状態伝送時点で伝送されるほか、ＵＥのＥＵＤＣＨデータバッファーに新規のデータが発生する場合にも伝送される。
【０１３２】
図２３を参照すれば、スケジューリング区間１０(２３００)で、ＵＥのＥＵＤＣＨデータバッファーに所定のしきい値以上のデータが発生すれば、ＵＥは、最初のバッファー状態と最初のＣＳＩを伝送する。ここで、バッファー状態伝送周期ＴbufferとＣＳＩ伝送周期ＴCSIは各々、８倍のスケジューリング区間長さＴsch_intと４倍のスケジューリング区間長さＴsch_intとなるので、ＵＥは、Ｔbufferの周期に対応するスケジューリング区間１８，２６(２３０８，２３１２)で、バッファー状態情報を伝送し、ＴCSIの周期に対応するスケジューリング区間１４，１８，２２，２６(２３０４，２３０８，２３１０，２３１２)で、ＣＳＩ情報を伝送するようになる。一方、前述した如く、２３００区間で最初のバッファー状態を伝送した後に、ＥＵＤＣＨデータバッファーに新規のデータが発生した時点であるスケジューリング区間１２，１６(２３０２，２３０６)でも、ＵＥは、バッファー状態を伝送する。これにより、Ｎｏｄｅ ＢがＵＥのバッファー状態を推定する上での遅延時間を縮めることができる。
【０１３３】
Ｎｏｄｅ Ｂは、ＵＥから受信したバッファー状態情報及びＣＳＩに基づいて、２３１４及び２３１６区間でスケジューリング割当情報を伝送する。２３１８区間でＮｏｄｅ Ｂは、ＵＥのＥＵＤＣＨデータバッファーにこれ以上伝送するデータがないと判断し、スケジューリング解除メッセージを伝送する。
【０１３４】
第４の実施形態に従うバッファー状態情報とＣＳＩ伝送のためのＥＵＤＣＨ伝送制御器は、伝送時点決定器１４０４が、ＣＳＩを周期的に定められた時点で伝送するようにＣＳＩ伝送スイッチ１４１２を制御し、バッファー状態情報を周期的な時点と新規のパケットデータが発生する時点で伝送するようにバッファー状態伝送スイッチ１４０６を制御する以外は、図１４における構造と同様である。
【０１３５】
図２４は、本発明の第４の実施形態にしたがって、ＵＥが、定められた伝送時点と新規のデータが発生する時点でバッファー状態情報を伝送する動作を示すフローチャートである。
【０１３６】
図２４を参照すれば、ステップＳ２４００で、ＵＥは、バッファー状態、すなわちＥＵＤＣＨデータバッファーに格納されているパケットデータの量を確認する。ステップＳ２４０２で、ＵＥは、ＥＵＤＣＨデータバッファーに格納されているパケットデータの量が所定のしきい値を超過するか否かを判断する。この判断結果、前記パケットデータの量がしきい値以上であれば、ステップＳ２４０６に移行し、パケットデータ量がしきい値未満であれば、ステップＳ２４０４に移行する。ステップＳ２４０４で、ＵＥは、次のスケジューリング区間まで待機した後に、ＥＵＤＣＨデータバッファーを確認するためにステップＳ２４００に復帰する。
【０１３７】
ステップＳ２４０６で、ＵＥは、バッファー状態情報とＣＳＩを最初に伝送し、ステップＳ２４０８に移行する。ステップＳ２４０８で、ＵＥは、次のスケジューリング区間まで待機した後に、ステップＳ２４１０で、ＥＵＤＣＨデータバッファーを確認する。ステップＳ２４１２で、ＵＥは、バッファー状態情報とＣＳＩを伝送し続けるか否かを確認する。これは、前述したように、ＥＵＤＣＨデータバッファーに格納されているパケットデータ量としきい値とを比較することによって決定される。このパケットデータの量が相変らず前記しきい値以上であれば、ＵＥは、バッファー状態情報とＣＳＩを伝送し続けるために、ステップＳ２４１４に移行し、前記パケットデータの量がしきい値よりも小さければ、ＵＥは、バッファー状態情報とＣＳＩの伝送を中断するために、ステップＳ２４２４に移行する。ステップＳ２４２４で、ＵＥは、逆方向パケット伝送サービスを続けるか否か判断する。逆方向パケット伝送サービスを続けると判断されると、ＵＥは、ステップＳ２４２６に移行して次のスケジューリング区間まで待機した後に、ステップＳ２４００に復帰する。逆方向パケット伝送サービスを続けないと判断されると、動作を終了する。
【０１３８】
ステップＳ２４１４で、ＵＥは、ＥＵＤＣＨデータバッファーに新規のデータが発生したか否か判断する。この判断結果、ＥＵＤＣＨデータバッファーに新規のデータが発生した場合にはステップＳ２４１６に移行し、ＥＵＤＣＨデータバッファーに新規のデータが発生しなかった場合にはステップＳ２４１８に移行する。ステップＳ２４１８で、現在スケジューリング区間がＲＮＣから通報されたバッファー状態伝送周期に従うバッファー状態伝送時点であるか否か判断する。ステップＳ２４１８で、現在スケジューリング区間がバッファー状態伝送時点と判断される場合にはステップＳ２４１６に移行し、現在スケジューリング区間がバッファー状態伝送時点でないと判断される場合にはステップＳ２４２０に移行する。ステップＳ２４１６で、ＵＥは、バッファー状態情報を伝送する。
【０１３９】
ステップＳ２４２０で、ＵＥは、ＲＮＣから通報されたＣＳＩ伝送周期によって、現在スケジューリング区間がＣＳＩ伝送時点であるか否かを判断する。この判断結果、現在スケジューリング区間がＣＳＩ伝送時点であれば、ＵＥは、ステップＳ２４２２に移行してＣＳＩを伝送した後に、ステップＳ２４０８に復帰する。一方、現在スケジューリング区間がＣＳＩ伝送時点でなければ、ステップＳ２４０８に復帰する。図２４にしは示さなかったが、ステップＳ２４０６で最初のバッファー状態を伝送した後に、バッファー状態伝送周期が経過するまでＮｏｄｅ Ｂからスケジューリング割当情報が受信されないと、ＵＥは、バッファー状態情報とＣＳＩを共に伝送する。
【０１４０】
第５の実施形態
図２５は、本発明の第５の実施形態によってタイマーを使用するバッファー状態の伝送を示す図である。ＵＥは、タイマーによりバッファー状態伝送時点を決定することによって、Ｎｏｄｅ ＢがＵＥのバッファー状態を推定する上での遅延時間を縮め、このバッファー状態情報の伝送による追加的な逆方向リンクの干渉量を減らす。このとき、ＣＳＩは周期的に伝送される。つまり、ＥＵＤＣＨサービスを進行する複数のＵＥのＣＳＩ伝送時点は相互に分散され、これにより、ＣＳＩ伝送による上りリンク干渉量の増加が最小限に抑えられる。
【０１４１】
図２５を参照すれば、スケジューリング区間１０(２５００)で、ＵＥは、ＥＵＤＣＨデータバッファーのデータ量がしきい値を超過することを認知し、バッファー状態情報とＣＳＩを最初に伝送するようになる。このときに、ＵＥは、バッファー状態伝送を制御するために備えられたタイマーの値をＴbufferと設定して起動する。このタイマーは、スケジューリング区間が進行していくにつれて１ずつ減少し、ＵＥは、タイマーが０になるか、あるいは、新規のデータが発生する時点でバッファー状態を伝送する。ＣＳＩは、ＴCSIの周期によって周期的に定められたスケジューリング区間１４，１８，２２，２６(２５０４，２５０６，２５１０，２５１２)で伝送される。
【０１４２】
一方、バッファー状態の最初伝送時点である２５００区間から、次のバッファー状態伝送時点である２５０６区間に到達する以前に、スケジューリング区間１３(２５０２)で新規のデータが発生すれば、ＵＥは、バッファー状態を伝送し、タイマーをＴbufferと設定して再び起動する。このＵＥは、２５０２区間でバッファー状態を伝送した後に、タイマーによって決められる次のバッファー状態伝送時点であるスケジューリング区間２１(２５０８)で、バッファー状態を伝送する。このバッファー状態が伝送されると、タイマーは再び起動される。このタイマーが０になる、次のバッファー状態伝送時点であるスケジューリング区間２９(２５１４)まで新規のデータが発生しなかった場合には、ＵＥは、スケジューリング区間２９(２５１４)でバッファー状態を伝送し、タイマーを０と設定する。
【０１４３】
２５１６区間で、Ｎｏｄｅ Ｂは、２５００区間のバッファー状態情報とＣＳＩを用いて生成したスケジューリング割当情報を伝送し、２５１８区間で、Ｎｏｄｅ Ｂは、２５１２及び２５１４区間のＣＳＩとバッファー状態を用いて生成したスケジューリング割当情報を伝送する。２５２０区間で、Ｎｏｄｅ Ｂは、ＵＥのＥＵＤＣＨデータバッファーにこれ以上伝送するデータがないと判断し、スケジューリング解除メッセージを伝送する。
【０１４４】
第５の実施形態に従うバッファー状態情報とＣＳＩ伝送のためのＥＵＤＣＨ伝送制御器は、伝送時点決定器１４０４が定められた時点でＣＳＩを周期的に伝送するようにＣＳＩ伝送スイッチ１４１２を制御し、バッファー状態伝送周期で設定されたタイマーを管理して周期的な時点または新規のパケットデータが発生する時点で周期的にバッファー状態を伝送するようにバッファー状態伝送スイッチ１４０６を制御する以外は、図１４における構造と同様である。また、第５実施形態に従うＮｏｄｅ Ｂ受信装置の構造と動作は、先に言及した図１１及び図１２に示したそれと同一なので、その詳細説明は省略される。
【０１４５】
図２６は、本発明の第５の実施形態によってＵＥがバッファー状態情報とＣＳＩを伝送する動作を示すフローチャートである。図２６を参照すれば、ステップＳ２６００で、ＵＥは、バッファー状態、すなわち、ＥＵＤＣＨデータバッファーに格納されているパケットデータの量を確認する。ステップＳ２６０２で、ＵＥは、ＥＵＤＣＨデータバッファーに格納されているパケットデータの量が所定のしきい値を超過するか否かを判断する。この判断結果、パケットデータの量がしきい値以上であれば、ステップＳ２６０６に移行し、パケットデータ量がしきい値未満であれば、ステップＳ２６０４に移行する。ステップＳ２６０４で、ＵＥは、次のスケジューリング区間まで待機した後に、ＥＵＤＣＨデータバッファーをモニタリングするためにステップＳ２６００に復帰する。
【０１４６】
ステップＳ２６０６で、ＵＥは、バッファー状態情報とＣＳＩを最初に伝送し、ステップＳ２６０８に移行する。ステップＳ２６０８で、ＵＥは、バッファー状態伝送周期Ｔbufferと設定されるタイマーを起動する。ステップＳ２６１０で、ＵＥは、次のスケジューリング区間まで待機した後に、ステップＳ２６１２で、ＥＵＤＣＨデータバッファーを確認する。ステップＳ２６１４で、ＵＥは、バッファー状態情報とＣＳＩを伝送し続けるか否か判断する。この判断は、上述した如く、ＥＵＤＣＨデータバッファーに格納されているパケットデータ量としきい値とを比較することによってなされる。このパケットデータの量が相変らず前記しきい値以上であれば、ＵＥは、バッファー状態情報とＣＳＩを伝送し続けるためにステップＳ２６１６に移行し、パケットデータの量がしきい値よりも小さい場合には、ＵＥは、バッファー状態情報とＣＳＩの伝送を中断するために、ステップＳ２６３０に移行する。ステップＳ２６３０で、ＵＥは、逆方向パケット伝送サービスを続けるか否かを判断する。逆方向パケット伝送サービスを続けると判断されると、ＵＥは、ステップＳ２６３２に移行し、次のスケジューリング区間まで待機した後にステップＳ２６００に復帰する。一方、逆方向パケット伝送サービスを続けないと判断されると、動作を終了する。
【０１４７】
ステップＳ２６１６で、ＵＥは、タイマーを１減少させ、ステップＳ２６１８に移行する。ステップＳ２６１８で、ＵＥは、ＥＵＤＣＨデータバッファーに新規のデータが発生したか否を判断する。この判断結果、ＥＵＤＣＨデータバッファーに新規のデータが発生した場合には、ステップＳ２６２２に移行し、ＥＵＤＣＨデータバッファーに新規のデータが発生しなかった場合にはステップＳ２６２０に移行する。ステップＳ２６２０で、前記タイマーが満期されたか、すなわち、０になったか判断する。ステップＳ２６２０で、タイマーが満期された場合にはステップＳ２６２２に移行し、タイマーが満期されなかった場合にはステップＳ２６２６に移行する。
【０１４８】
ステップＳ２６２２で、ＵＥは、バッファー状態情報を伝送した後に、ステップＳ２６２４に移行する。ステップＳ２６２４で、ＵＥは、タイマーを再び始動した後に、ステップＳ２６２６に移行する。ステップＳ２６２６で、ＵＥは、現在スケジューリング区間がＲＮＣから通報されたＣＳＩ伝送周期によるＣＳＩ伝送時点であるか否かを判断する。この判断結果、現在スケジューリング区間がＣＳＩ伝送時点であれば、ＵＥは、ステップＳ２６２８に移行してＣＳＩを伝送した後に、ステップＳ２６１０に移行する。この判断結果、現在スケジューリング区間がＣＳＩ伝送時点でなければ、ステップＳ２６１０に復帰する。図２６には示さなかったが、ステップＳ２６０６で最初のバッファー状態を伝送してからバッファー状態伝送周期が経過するまで、Ｎｏｄｅ Ｂからスケジューリング割当情報が受信されないと、ＵＥは、バッファー状態情報とＣＳＩを共に伝送する。
【０１４９】
第６の実施形態
以上の第１ないし第５実施形態は、バッファー状態の伝送時点に関係なくＣＳＩを一定の周期ごとに伝送する。ＣＤＭＡシステムにおいて、フェーディング現象による一時的チャネル変化は、電力制御によりある程度克服可能であるという点を考慮すれば、Ｎｏｄｅ Ｂ制御スケジューリングは、地形的な影響などによるシャドウイング (shadowing)などの長時間フェーディング(long term fading)現象、すなわち、長い時間の間の平均的なチャネル状況の変化を考慮してなされることができる。この場合に、ＣＳＩは、長い時間の間の平均的なチャネル状況を反映することになる。このように、ＣＳＩが、長時間フェーディングを反映しうる程度に充分に長い時間の間の平均的なチャネル状況を表す場合、ＣＳＩ伝送周期はより長く設定されることができる。
【０１５０】
図２７は、本発明の第６の実施形態によって、バッファー状態の伝送時点でバッファー状態情報とＣＳＩを共に伝送するためのコードブロックを示している。図２７を参照すれば、ＣＳＩが比較的長い時間の間の平均的なチャネル状況を表す場合、このＣＳＩを周期的に伝送しなくても済む。これにより、ＵＥは、伝送時点でバッファー状態情報とＣＳＩ情報を共に伝送する。すなわち、ＵＥは、バッファー状態情報とＣＳＩを最初に伝送した後に、上に言及した実施形態にしたがってバッファー状態伝送周期及び／または新規のデータの発生有無によって決定されるバッファー状態伝送時点で、バッファー状態情報とＣＳＩを同時に伝送する。したがって、このコードブロックに付加されるＣＲＣは、バッファー状態情報とＣＳＩに共通して適用される。
【０１５１】
すなわち、ＵＥは、バッファー状態情報とＣＳＩに共通して適用される一つのＣＲＣを、バッファー状態情報及びＣＳＩを含むデータ部分に付けた後に、チャネルコーディングして伝送する。すると、Ｎｏｄｅ Ｂは、バッファー状態情報とＣＳＩに共通するＣＲＣを検出し、ＣＲＣチェックを通じてバッファー状態情報とＣＳＩが正常に受信された否かを判断する。
【図面の簡単な説明】
【０１５２】
【図１Ａ】基地局制御スケジューリングを使用しない場合の基地局の上りリンク無線資源の変化を示す図である。
【図１Ｂ】基地局制御スケジューリングを使用する場合の基地局の上りリンク無線資源の変化を示す図である。
【図２】上りリンクパケット伝送を遂行する使用者端末と基地局を示す図である。
【図３】上りリンクパケット伝送を遂行するために使用者端末と基地局間に送受信される情報を示す図である。
【図４】上りリンクパケットを伝送する使用者端末の送信装置を示すブロック図である。
【図５Ａ】それぞれ、上りリンクパケットを受信する基地局のスケジューリング制御チャネル構造と、スケジューリング制御チャネル送信器の構造を示す図である。
【図５Ｂ】それぞれ、上りリンクパケットを受信する基地局のスケジューリング制御チャネル構造と、スケジューリング制御チャネル送信器の構造を示す図である。
【図６】Ｎｏｄｅ Ｂ制御スケジューリングのためのバッファー状態情報とチャネル状態情報を連続して伝送する動作を示す図である。
【図７】本発明の好ましい実施形態に従うバッファー状態情報とチャネル状態情報の伝送形式を示す図である。
【図８】本発明の好ましい実施形態に従うバッファー状態情報とチャネル状態情報の伝送形式を示す図である。
【図９】本発明の第１の実施形態に従う上りリンクパケットを伝送する使用者端末のＥＵＤＣＨ伝送制御器の構造を示す図である。
【図１０】本発明の第１の実施形態によってバッファー状態情報とチャネル状態情報を伝送する使用者端末の動作を示すフローチャートである。
【図１１】本発明の第１の実施形態によってバッファー状態情報とチャネル状態を受信する基地局の受信装置の構造を示す図である。
【図１２】本発明の第１の実施形態によってバッファー状態情報とチャネル状態情報を受信する基地局の動作を示すフローチャートである。
【図１３】本発明の第２の実施形態に従うバッファー状態情報とチャネル状態情報の伝送を示す図である。
【図１４】本発明の第２の実施形態によってバッファー状態情報とチャネル状態情報を伝送する使用者端末のＥＵＤＣＨ伝送制御器の構造を示す図である。
【図１５】本発明の第２の実施形態によってバッファー状態情報とチャネル状態情報を伝送する使用者端末の動作を示すフローチャートである。
【図１６】本発明の第２の実施形態によってバッファー状態情報とチャネル状態を受信する基地局の受信装置の構造を示す図である。
【図１７】本発明の第２の実施形態によってバッファー状態情報とチャネル状態情報を受信する基地局の動作を示すフローチャートである。
【図１８】本発明の第３の実施形態に従うバッファー状態情報とチャネル状態情報の伝送を示す図である。
【図１９】本発明の第３の実施形態によってバッファー状態情報とチャネル状態情報を伝送する使用者端末のＥＵＤＣＨ伝送制御器の構造を示す図である。
【図２０】本発明の第３の実施形態によってバッファー状態情報とチャネル状態情報を伝送する使用者端末の動作を示すフローチャートである。
【図２１】本発明の第３の実施形態によってバッファー状態情報とチャネル状態を受信する基地局の受信装置の構造を示す図である。
【図２２】本発明の第３の実施形態によってバッファー状態情報とチャネル状態情報を受信する基地局の動作を示すフローチャートである。
【図２３】本発明の第４の実施形態に従うバッファー状態情報とチャネル状態情報の伝送を示す図である。
【図２４】本発明の第４の実施形態によってバッファー状態情報とチャネル状態情報を伝送する使用者端末の動作を示すフローチャートである
【図２５】本発明の第５の実施形態によってタイマーを使用するバッファー状態情報の伝送を示す図である。
【図２６】本発明の第５の実施形態によってバッファー状態情報とチャネル状態情報を伝送する使用者端末の動作を示すフローチャートである
【図２７】本発明の第６の実施形態によってバッファー状態情報とチャネル状態情報を同時に伝送するコードブロックを示す図である。
【図１Ａ】
2005094750.tif 000003
【図１Ｂ】
2005094750.tif 000004
【図２】
2005094750.tif 000005
【図３】
2005094750.tif 000006
【図４】
2005094750.tif 000007
【図５Ａ】
2005094750.tif 000008
【図５Ｂ】
2005094750.tif 000009
【図６】
2005094750.tif 000010
【図７】
2005094750.tif 000011
【図８】
2005094750.tif 000012
【図９】
2005094750.tif 000013
【図１０】
2005094750.tif 000014
【図１１】
2005094750.tif 000015
【図１２】
2005094750.tif 000016
【図１３】
2005094750.tif 000017
【図１４】
2005094750.tif 000018
【図１５】
2005094750.tif 000019
【図１６】
2005094750.tif 000020
【図１７】
2005094750.tif 000021
【図１８】
2005094750.tif 000022
【図１９】
2005094750.tif 000023
【図２０】
2005094750.tif 000024
【図２１】
2005094750.tif 000025
【図２２】
2005094750.tif 000026
【図２３】
2005094750.tif 000027
【図２４】
2005094750.tif 000028
【図２５】
2005094750.tif 000029
【図２６】
2005094750.tif 000030
【図２７】
2005094750.tif 000031
【外国語明細書】
2005094750.tif 000032
2005094750.tif 000033
2005094750.tif 000034
2005094750.tif 000035
2005094750.tif 000036
2005094750.tif 000037
2005094750.tif 000038
2005094750.tif 000039
2005094750.tif 000040
2005094750.tif 000041
2005094750.tif 000042
2005094750.tif 000043
2005094750.tif 000044
2005094750.tif 000045
2005094750.tif 000046
2005094750.tif 000047
2005094750.tif 000048
2005094750.tif 000049
2005094750.tif 000050
2005094750.tif 000051
2005094750.tif 000052
2005094750.tif 000053
2005094750.tif 000054
2005094750.tif 000055
2005094750.tif 000056
2005094750.tif 000057
2005094750.tif 000058
2005094750.tif 000059
2005094750.tif 000060
2005094750.tif 000061
2005094750.tif 000062
2005094750.tif 000063
2005094750.tif 000064
2005094750.tif 000065
2005094750.tif 000066
2005094750.tif 000067
2005094750.tif 000068
2005094750.tif 000069
2005094750.tif 000070
2005094750.tif 000071
2005094750.tif 000072
2005094750.tif 000073
2005094750.tif 000074
2005094750.tif 000075
2005094750.tif 000076
2005094750.tif 000077
2005094750.tif 000078
2005094750.tif 000079
2005094750.tif 000080
2005094750.tif 000081
2005094750.tif 000082
2005094750.tif 000083
2005094750.tif 000084
2005094750.tif 000085
2005094750.tif 000086
2005094750.tif 000087
2005094750.tif 000088
2005094750.tif 000089
2005094750.tif 000090
2005094750.tif 000091
2005094750.tif 000092
2005094750.tif 000093
2005094750.tif 000094
2005094750.tif 000095
2005094750.tif 000096
2005094750.tif 000097
2005094750.tif 000098
2005094750.tif 000099
2005094750.tif 000100
2005094750.tif 000101
2005094750.tif 000102
2005094750.tif 000103
2005094750.tif 000104
2005094750.tif 000105
2005094750.tif 000106
2005094750.tif 000107
2005094750.tif 000108
2005094750.tif 000109
2005094750.tif 000110
2005094750.tif 000111
2005094750.tif 000112
2005094750.tif 000113
2005094750.tif 000114
2005094750.tif 000115
2005094750.tif 000116
2005094750.tif 000117
2005094750.tif 000118
2005094750.tif 000119
2005094750.tif 000120
2005094750.tif 000121
2005094750.tif 000122
2005094750.tif 000123
2005094750.tif 000124
2005094750.tif 000125
2005094750.tif 000126
2005094750.tif 000127
2005094750.tif 000128
2005094750.tif 000129
2005094750.tif 000130
2005094750.tif 000131
2005094750.tif 000132
2005094750.tif 000133
2005094750.tif 000134
2005094750.tif 000135
2005094750.tif 000136
2005094750.tif 000137
2005094750.tif 000138
2005094750.tif 000139
2005094750.tif 000140
2005094750.tif 000141
2005094750.tif 000142